(57)【特許請求の範囲】
【請求項１】
フェムトセルにおけるアクセス制御のための方法において、
少なくとも一つのフェムトセルを、該少なくとも一つのフェムトセルを含むフェムトセルのグループに対する有効なアクセスを識別する第１の識別子に対応するように割り当てることと、
少なくとも一つの第２の識別子及び少なくとも一つの第１の識別子を含むリストを記憶することと、ここで、前記リスト中の第１の識別子は前記フェムトセルのグループに対する有効なアクセスを識別し、前記リスト中の第２の識別子はアクセス端末（ＡＴ）に対応し、該リストは有効な第１の識別子と第２の識別子のペアを示す、
前記少なくとも一つのフェムトセルにおいて、前記ＡＴからアクセスのためのリクエストを受信することと、
前記少なくとも一つのフェムトセルによって、前記第１の識別子を少なくとも一つのアクセス制御コンポーネントに送信することと、
前記リストから、前記ＡＴに対応する前記第２の識別子及び前記少なくとも一つのフェムトセルに割り当てられた前記第１の識別子に基づいて、前記ＡＴは前記少なくとも一つのフェムトセルへのアクセス権を有するかどうか判定することと、
前記少なくとも一つのフェムトセルにおいて、前記リストから前記ＡＴが識別されるならば、前記リクエストに応答して前記ＡＴに対してアクセスを許可することを含む方法。
【請求項２】
前記少なくとも一つのアクセス制御コンポーネントは、Ｈｏｍｅ ＮｏｄｅＢゲートウェイ（ＨＮＢ−ＧＷ）である請求項１に記載の方法。
【請求項３】
前記リストを前記記憶することは、フェムトセル・ゲートウェイ、Ｈｏｍｅ ＮｏｄｅＢゲートウェイ（ＨＮＢ−ＧＷ）、モビリティ管理エンティティ（ＭＭＥ）、モバイル・スイッチ・センター（ＭＳＣ）、訪問位置レジスタ（ＶＬＲ）、又はサービングＧＰＲＳサービングノード（ＳＧＳＮ）のうちの１又は複数において前記リストを記憶することを含む請求項１に記載の方法。
【請求項４】
前記少なくとも一つのフェムトセルを前記第１の識別子に対応するように割り当てることは、一つのフェムトセルを住居配備における前記第１の識別子に割り当てることを含む請求項１に記載の方法。
【請求項５】
前記少なくとも一つのフェムトセルを前記第１の識別子に対応するように割り当てることは、複数のフェムトセルを企業配備における前記第１の識別子に割り当てることを含む請求項１に記載の方法。
【請求項６】
前記第１の識別子は、クローズド加入者グループ識別子（ＣＳＧＩＤ）を含む請求項１に記載の方法。
【請求項７】
前記第２の識別子は、国際移動局識別番号（ＩＭＳＩ）を含む請求項１に記載の方法。
【請求項８】
前記第１の識別子は、クローズド加入者グループ識別子（ＣＳＧＩＤ）を含み、
前記第２の識別子は、国際移動局識別番号（ＩＭＳＩ）を含み、
前記リストは、ＩＭＳＩについて有効である少なくとも一つのＣＳＧＩＤ又はＣＳＧＩＤについて有効である少なくとも一つのＩＭＳＩのうちの１又は複数を示す請求項１に記載の方法。
【請求項９】
フェムトセルにおいて、
アクセス端末（ＡＴ）からアクセスのためのリクエストを受信し、
前記フェムトセルによって、少なくとも一つの第１の識別子を、少なくとも一つのアクセス制御コンポーネントに送信し、
前記ＡＴが前記フェムトセルに対するアクセス権を有するならば、前記リクエストに応答して前記フェムトセルに対する前記ＡＴのアクセスを許可するための少なくとも一つのプロセッサ及びメモリを含み、
前記アクセス権は少なくとも一つの第２の識別子及び少なくとも一つの第１の識別子を含むリストから得られ、前記リスト中の第１の識別子は前記フェムトセルを含むフェムトセルのグループに対する有効なアクセスを識別し、前記リスト中の第２の識別子は前記ＡＴに対応し、前記リストは有効な第１の識別子と第２の識別子のペアを示すフェムトセル。
【請求項１０】
更に前記リストを記憶する請求項９に記載のフェムトセル。
【請求項１１】
前記リストを前記記憶することは、フェムトセル・ゲートウェイ、Ｈｏｍｅ ＮｏｄｅＢゲートウェイ（ＨＮＢ−ＧＷ）、モビリティ管理エンティティ（ＭＭＥ）、モバイル・スイッチ・センター（ＭＳＣ）、訪問位置レジスタ（ＶＬＲ）、又はサービングＧＰＲＳサービングノード（ＳＧＳＮ）のうちの１又は複数において前記リストを記憶することを含む請求項１０に記載のフェムトセル。
【請求項１２】
前記許可することは、住居配備において実行される請求項９に記載のフェムトセル。
【請求項１３】
前記許可することは、企業配備において実行される請求項９に記載のフェムトセル。
【請求項１４】
前記第１の識別子は、クローズド加入者グループ識別子（ＣＳＧＩＤ）を含む請求項９に記載のフェムトセル。
【請求項１５】
前記第２の識別子は、国際移動局識別番号（ＩＭＳＩ）を含む請求項９に記載のフェムトセル。
【請求項１６】
前記第１の識別子は、クローズド加入者グループ識別子（ＣＳＧＩＤ）を含み、
前記第２の識別子は、国際移動局識別番号（ＩＭＳＩ）を含み、
前記リストは、ＣＳＧＩＤについて有効である少なくとも一つのＩＭＳＩを示す請求項９に記載のフェムトセル。
【請求項１７】
前記第１の識別子は、クローズド加入者グループ識別子（ＣＳＧＩＤ）を含み、
前記第２の識別子は、国際移動局識別番号（ＩＭＳＩ）を含み、
前記リストは、ＩＭＳＩについて有効である少なくとも一つのＣＳＧＩＤを示す請求項９に記載のフェムトセル。
【請求項１８】
フェムトセル・ゲートウェイにおいて、
少なくとも一つの第２の識別子及び少なくとも一つの第１の識別子を含むリストを記憶し、ここで、前記リスト中の第１の識別子は少なくとも一つのフェムトセルを含むフェムトセルのグループに対する有効なアクセスを識別し、前記リスト中の第２の識別子はアクセス端末（ＡＴ）に対応し、該リストは有効な第１の識別子と第２の識別子のペアを示す、
前記ＡＴは前記フェムトセルのグループからの前記少なくとも一つのフェムトセルへのアクセス権を有するかどうか判定するためにリクエストを受信し、
前記リストから前記ＡＴが識別されるならば、前記少なくとも一つのフェムトセルへの前記ＡＴのアクセスを許可するためのインジケーションを生成するための少なくとも一つのプロセッサ及びメモリを含むフェムトセル・ゲートウェイ。
【請求項１９】
前記フェムトセル・ゲートウェイは、住居配備において存在する請求項１８に記載のフェムトセル・ゲートウェイ。
【請求項２０】
前記フェムトセル・ゲートウェイは、企業配備において存在する請求項１８に記載のフェムトセル・ゲートウェイ。
【請求項２１】
前記第１の識別子は、クローズド加入者グループ識別子（ＣＳＧＩＤ）を含む請求項１８に記載のフェムトセル・ゲートウェイ。
【請求項２２】
前記第２の識別子は、国際移動局識別番号（ＩＭＳＩ）を含む請求項１８に記載のフェムトセル・ゲートウェイ。
【請求項２３】
前記第１の識別子は、クローズド加入者グループ識別子（ＣＳＧＩＤ）を含み、
前記第２の識別子は、国際移動局識別番号（ＩＭＳＩ）を含み、
前記リストは、ＣＳＧＩＤについて有効である少なくとも一つのＩＭＳＩを示す請求項１８に記載のフェムトセル・ゲートウェイ。
【請求項２４】
前記第１の識別子は、クローズド加入者グループ識別子（ＣＳＧＩＤ）を含み、
前記第２の識別子は、国際移動局識別番号（ＩＭＳＩ）を含み、
前記リストは、ＩＭＳＩについて有効である少なくとも一つのＣＳＧＩＤを示す請求項１８に記載のフェムトセル・ゲートウェイ。
【請求項２５】
モビリティ管理エンティティ（ＭＭＥ）、Ｈｏｍｅ ＮｏｄｅＢゲートウェイ（ＨＮＢ−ＧＷ）、モバイル・スイッチ・センター（ＭＳＣ）、訪問位置レジスタ（ＶＬＲ）、又はサービングＧＰＲＳサービングノード（ＳＧＳＮ）のうちの少なくとも一つは、前記ＡＴは前記少なくとも一つのフェムトセルへのアクセス権を有するかどうか判定するために前記リクエストを受信する請求項１８に記載のフェムトセル・ゲートウェイ。
【請求項２６】
アクセス端末（ＡＴ）において、
フェムトセルに対するアクセスのためのリクエストを生成し、
前記ＡＴが前記フェムトセルに対するアクセス権を有するならば、前記リクエストに応答して前記フェムトセルに対するアクセスを受信するための少なくとも一つのプロセッサ及びメモリを含み、
前記アクセス権は少なくとも一つの第２の識別子及び少なくとも一つの第１の識別子を含むリストから得られ、前記リスト中の第１の識別子は前記フェムトセルを含むフェムトセルのグループに対する有効なアクセスを識別し、前記リスト中の第２の識別子は前記ＡＴに対応し、前記リストは有効な第１の識別子と第２の識別子のペアを示すアクセス端末。
【請求項２７】
前記フェムトセルは、住居配備において存在する請求項２６に記載のアクセス端末。
【請求項２８】
前記フェムトセルは、企業配備において存在する請求項２６に記載のアクセス端末。
【請求項２９】
前記第１の識別子は、クローズド加入者グループ識別子（ＣＳＧＩＤ）を含む請求項２６に記載のアクセス端末。
【請求項３０】
前記第２の識別子は、国際移動局識別番号（ＩＭＳＩ）を含む請求項２６に記載のアクセス端末。
【請求項３１】
前記第１の識別子は、クローズド加入者グループ識別子（ＣＳＧＩＤ）を含み、
前記第２の識別子は、国際移動局識別番号（ＩＭＳＩ）を含み、
前記リストは、ＣＳＧＩＤについて有効である少なくとも一つのＩＭＳＩを示す請求項２６に記載のアクセス端末。
【請求項３２】
前記第１の識別子は、クローズド加入者グループ識別子（ＣＳＧＩＤ）を含み、
前記第２の識別子は、国際移動局識別番号（ＩＭＳＩ）を含み、
前記リストは、ＩＭＳＩについて有効である少なくとも一つのＣＳＧＩＤを示す請求項２６に記載のアクセス端末。
【請求項３３】
前記リストは、フェムトセル・ゲートウェイ、Ｈｏｍｅ ＮｏｄｅＢゲートウェイ（ＨＮＢ−ＧＷ）、モビリティ管理エンティティ（ＭＭＥ）、モバイル・スイッチ・センター（ＭＳＣ）、訪問位置レジスタ（ＶＬＲ）、又はサービングＧＰＲＳサービングノード（ＳＧＳＮ）のうちの少なくとも一つにより記憶される請求項２６に記載のアクセス端末。
【請求項３４】
フェムトセルにおけるアクセス制御のための方法を実現する有形のコンピュータ読み取り可能な記憶媒体において、前記方法は、
少なくとも一つのフェムトセルを、該少なくとも一つのフェムトセルを含むフェムトセルのグループに対する有効なアクセスを識別する第１の識別子に対応するように割り当てることと、
少なくとも一つの第２の識別子及び少なくとも一つの第１の識別子を含むリストを記憶することと、ここで、前記リスト中の第１の識別子は前記フェムトセルのグループに対する有効なアクセスを識別し、前記リスト中の第２の識別子はアクセス端末（ＡＴ）に対応し、該リストは有効な第１の識別子と第２の識別子のペアを示す、
前記少なくとも一つのフェムトセルにおいて、前記ＡＴからアクセスのためのリクエストを受信することと、
前記少なくとも一つのフェムトセルによって、前記第１の識別子を少なくとも一つのアクセス制御コンポーネントに送信することと、
前記リストから、前記ＡＴに対応する前記第２の識別子及び前記少なくとも一つのフェムトセルに割り当てられた前記第１の識別子に基づいて、前記ＡＴは前記少なくとも一つのフェムトセルへのアクセス権を有するかどうか判定することと、
前記少なくとも一つのフェムトセルにおいて、前記リストから前記ＡＴが識別されるならば、前記リクエストに応答して前記ＡＴに対してアクセスを許可することを含む、有形のコンピュータ読み取り可能な記憶媒体。
【請求項３５】
前記リストを前記記憶することは、フェムトセル・ゲートウェイ、Ｈｏｍｅ ＮｏｄｅＢゲートウェイ（ＨＮＢ−ＧＷ）、モビリティ管理エンティティ（ＭＭＥ）、モバイル・スイッチ・センター（ＭＳＣ）、訪問位置レジスタ（ＶＬＲ）、又はサービングＧＰＲＳサービングノード（ＳＧＳＮ）のうちの１又は複数において前記リストを記憶することを含む請求項３４に記載の有形のコンピュータ読み取り可能な記憶媒体。
【請求項３６】
前記少なくとも一つのフェムトセルを前記第１の識別子に対応するように割り当てることは、一つのフェムトセルを住居配備における前記第１の識別子に割り当てることを含む請求項３４に記載の有形のコンピュータ読み取り可能な記憶媒体。
【請求項３７】
前記少なくとも一つのフェムトセルを前記第１の識別子に対応するように割り当てることは、複数のフェムトセルを企業配備における前記第１の識別子に割り当てることを含む請求項３４に記載の有形のコンピュータ読み取り可能な記憶媒体。
【請求項３８】
前記第１の識別子は、クローズド加入者グループ識別子（ＣＳＧＩＤ）を含む請求項３４に記載の有形のコンピュータ読み取り可能な記憶媒体。
【請求項３９】
前記第２の識別子は、国際移動局識別番号（ＩＭＳＩ）を含む請求項３４に記載の有形のコンピュータ読み取り可能な記憶媒体。
【請求項４０】
前記第１の識別子は、クローズド加入者グループ識別子（ＣＳＧＩＤ）を含み、
前記第２の識別子は、国際移動局識別番号（ＩＭＳＩ）を含み、
前記リストは、ＣＳＧＩＤについて有効である少なくとも一つのＩＭＳＩを示す請求項３４に記載の有形のコンピュータ読み取り可能な記憶媒体。
【請求項４１】
前記第１の識別子は、クローズド加入者グループ識別子（ＣＳＧＩＤ）を含み、
前記第２の識別子は、国際移動局識別番号（ＩＭＳＩ）を含み、
前記リストは、ＩＭＳＩについて有効である少なくとも一つのＣＳＧＩＤを示す請求項３４に記載の有形のコンピュータ読み取り可能な記憶媒体。
【請求項４２】
フェムトセルにおけるアクセス制御のための装置において、
少なくとも一つのフェムトセルを、該少なくとも一つのフェムトセルを含むフェムトセルのグループに対する有効なアクセスを識別する第１の識別子に対応するように割り当てるための手段と、
少なくとも一つの第２の識別子及び少なくとも一つの第１の識別子を含むリストを記憶するための手段と、ここで、前記リスト中の第１の識別子は前記フェムトセルのグループに対する有効なアクセスを識別し、前記リスト中の第２の識別子はアクセス端末（ＡＴ）に対応し、該リストは有効な第１の識別子と第２の識別子のペアを示す、
前記少なくとも一つのフェムトセルにおいて、前記ＡＴからアクセスのためのリクエストを受信するための手段と、
前記少なくとも一つのフェムトセルによって、前記第１の識別子を少なくとも一つのアクセス制御コンポーネントに送信するための手段と、
前記リストから、前記ＡＴに対応する前記第２の識別子及び前記少なくとも一つのフェムトセルに割り当てられた前記第１の識別子に基づいて、前記ＡＴは前記少なくとも一つのフェムトセルへのアクセス権を有するかどうか判定するための手段と、
前記少なくとも一つのフェムトセルにおいて、前記リストから前記ＡＴが識別されるならば、前記リクエストに応答して前記ＡＴに対してアクセスを許可するための手段とを含む装置。
【請求項４３】
前記リストを前記記憶するための手段は、フェムトセル・ゲートウェイ、Ｈｏｍｅ ＮｏｄｅＢゲートウェイ（ＨＮＢ−ＧＷ）、モビリティ管理エンティティ（ＭＭＥ）、モバイル・スイッチ・センター（ＭＳＣ）、訪問位置レジスタ（ＶＬＲ）、又はサービングＧＰＲＳサービングノード（ＳＧＳＮ）のうちの１又は複数において前記リストを記憶するための手段を含む請求項４２に記載の装置。
【請求項４４】
前記少なくとも一つのフェムトセルを前記第１の識別子に対応するように割り当てるための前記手段は、一つのフェムトセルを住居配備における前記第１の識別子に割り当てるための手段を含む請求項４２に記載の装置。
【請求項４５】
前記少なくとも一つのフェムトセルを前記第１の識別子に対応するように割り当てるための前記手段は、複数のフェムトセルを企業配備における前記第１の識別子に割り当てるための手段を含む請求項４２に記載の装置。
【請求項４６】
前記第１の識別子は、クローズド加入者グループ識別子（ＣＳＧＩＤ）を含む請求項４２に記載の装置。
【請求項４７】
前記第２の識別子は、国際移動局識別番号（ＩＭＳＩ）を含む請求項４２に記載の装置。
【請求項４８】
前記第１の識別子は、クローズド加入者グループ識別子（ＣＳＧＩＤ）を含み、
前記第２の識別子は、国際移動局識別番号（ＩＭＳＩ）を含み、
前記リストは、ＣＳＧＩＤについて有効である少なくとも一つのＩＭＳＩを示す請求項４２に記載の装置。
【請求項４９】
前記第１の識別子は、クローズド加入者グループ識別子（ＣＳＧＩＤ）を含み、
前記第２の識別子は、国際移動局識別番号（ＩＭＳＩ）を含み、
前記リストは、ＩＭＳＩについて有効である少なくとも一つのＣＳＧＩＤを示す請求項４２に記載の装置。
【発明の詳細な説明】
【技術分野】
【０００１】
（35 U.S.C. 119の下の優先権の主張）
本特許出願は、２００８年１１月４日付け提出され、本願の譲受人に譲渡され、参照によって本明細書に明確に組み込まれる米国仮出願第６１／１１１，１２３号に対する優先権を主張する。本特許出願は、２００８年１１月３日付け提出され、本願の譲受人に譲渡され、参照によって本明細書に明確に組み込まれる米国仮出願第６１／１１０，９０４号に対する優先権を主張する。
【０００２】
（技術分野）
以下の開示は、一般に無線通信に関し、より詳しくはアクセスポイントが高密度に配置された環境における無線アクセス端末のためのアクセスの管理及びページングに関する。
【背景技術】
【０００３】
様々なタイプの通信コンテンツ（例えば、ボイス、データなど）を提供するために無線通信システムが広く配備される。これらのシステムは、利用可能なシステム資源（例えば帯域幅及び送信電力）を共有することによって複数のユーザとの通信をサポートすることができる多元接続システムであり得る。そのようなマルチアクセス・システムの例は、符号分割多元接続（ＣＤＭＡ）システム、時分割多元接続（ＴＤＭＡ）システム、周波数分割多元接続（ＦＤＭＡ）システム、３ＧＰＰロングタームエボリューション（ＬＴＥ）システム及び直交周波数分割多元接続（ＯＦＤＭＡ）システムを含む。
【０００４】
例えばデジタル加入者回線（ＤＳＬ）、ケーブル線、ダイヤルアップ又はインターネット・サービスプロバイダ（ＩＳＰ）により提供される同類のコネクションのような伝統的な固定回線通信システムは、択一的であり（alternative）、また、時々、無線通信に対して競合する通信プラットフォームである。しかし、近年、ユーザは固定回線通信をモバイル通信で置き換え始めた。例えばユーザ・モビリティ、ユーザ装置（ＵＥ）の小さな相対的サイズ及びインターネットに加えて公衆交換電話網への敏速なアクセスのような、モバイル通信システムのいくつかの利点は、そのようなシステムを非常に便利にし、それゆえ非常にポピュラーにした。ユーザが、固定回線システムによって伝統的に得られる通信サービスについて、よりモバイル・システムに依存し始めるにつれて、増加した帯域幅、信頼できるサービス、高い声質及び低価格に対する需要が高まった。
【０００５】
通常、無線多元接続通信システムは、複数の無線端末のための通信を同時にサポートすることができる。各々の端末は、順方向及び逆方向リンク上での伝送を介して１又は複数の基地局と通信する。順方向リンク（又はダウンリンク）は基地局から端末への通信リンクを指し示し、逆方向リンク（又はアップリンク）は端末から基地局への通信リンクを指し示す。この通信リンクは、単一入力単一出力、多重入力単一出力又は多重入力多重出力（ＭＩＭＯ）システムを介して確立され得る。
【０００６】
現在配備されている携帯電話網に加えて、新たな種類（class）の小型の基地局が出現した。これらの小型基地局は、低電力であり、また、一般的にモバイルオペレータのコアネットワークと接続するために固定回線通信を利用することができる。そのうえ、これらの基地局は、モバイル・ユニットに屋内／屋外の無線カバレージを提供するために、ホーム、オフィス、アパート、プライベートなレクリエーション施設（recreational facility）などにおいてパーソナル／プライベートな使用のために分散されることができる。これらのパーソナルな基地局は、通常、フェムトセル、又はパーソナル・アクセスポイント基地局、又はアクセスポイント、又はｈｏｍｅ Ｎｏｄｅ Ｂユニット（ＨＮＢ）、又はホーム展開型（home-evolved） ｅＮｏｄｅ Ｂユニット（ＨｅＮＢ）として知られている。フェムトセル基地局は、モバイル・ネットワーク接続性における新しいパラダイムを提供し、そして、モバイル・ネットワーク・アクセス及びアクセス品質の直接的な加入者制御を可能にする。
【発明の概要】
【０００７】
以下は、１又は複数の態様の簡略化された概要を、そのような態様の基本的な理解を提供するために示す。この概要は、すべての予期される態様の外延的な概要であるというわけではなく、また、全ての態様の鍵となる又は重要な要素を識別することも、一部又は全部の態様の範囲を線引きすることも、いずれも意図されていない。その唯一の目的は、後で示されるより詳しい説明への前置きとして１又は複数の態様のいくつかの概念を簡略化された形で提示することである。
【０００８】
アクセス制御コンポーネント（例えば、モバイルオペレータのコアネットワーク）を使用して、複数のフェムトセル・コンポーネント（例えば、ＨＮＢ）のネットワークの中の無線アクセス端末（例えば、セル電話ハンドセット）のためのフェムトセル・アクセス及びページング制御のためのいくつかの方法が本明細書で開示される。一つの方法は、フェムトセルの第１のグループ・アソシエーションを記憶することと、共通の特徴（例えば、クローズド加入者グループＩＤ）を使用することと、複数のアクセス端末の間の第２のグループ・アソシエーションを記憶する（例えば、いずれのアクセス端末がいずれのクローズド加入者グループに属するかについて定義する）ことと、アクセス端末が第１のグループに属するフェムトセル・コンポーネントにアクセスすることを許可することを含む。アクセス端末は、第１のグループに属するフェムトセルの一部又は全部からページングされても良い。そのような方法は住居配備及び企業配備の両方をサポートし、特定の加入者は同時に企業グループ及び住居グループのメンバーであることができる。
【０００９】
前述の目的及び関係する目的の達成のために、本発明の実施形態は、以下で十分に説明され、特に特許請求の範囲において示される。以下の説明及び添付された図面は、１又は複数の実施形態のいくつかの説明のための態様を詳細に示す。これらの実施形態は、しかし、様々な実施形態の原理が使用できる様々な方法（ways）のうちのほんの数例を示し、また、説明された態様はすべてのそのような態様及びそれらの均等物を含むことが意図されている。
【００１０】
本開示の特徴、性質及び利点は、以下で説明される詳細な説明から、より明らかにされるであろう。
【図面の簡単な説明】
【００１１】
【図１】図１は、本発明の一実施態様に従った多元接続無線通信システムを示す。
【図２】図２は、本発明の一実施態様に従った通信システムのブロック図である。
【図３】図３は、本発明の一実施態様に従ったネットワーク環境内でのアクセスポイント基地局の配備を可能にする通信システムを示す。
【図４】図４は、本発明の一実施態様に従った高密度のアクセスポイント環境内のコンポーネント間で通信を確立するためのシステムのためのフローチャートである。
【図５】図５は、本発明の一実施態様に従った住居地域の様々な近傍に位置する企業キャンパスの配備のための図である。
【図６】図６は、本発明の一実施態様に従ったフェムトセルを使用してアクセス制御及びページングを実行するために使用されるデータ項目関係（data item relationships）の図である。
【図７】図７は、本発明の一実施態様に従ったフェムトセルを使用してアクセス制御及びページングを実行するために使用されるアクセス端末処理のフローチャートである。
【図８】図８は、本発明の一実施態様に従ったフェムトセルを使用してアクセス制御及びページングを実行するために使用されるフェムトセル処理のフローチャートである。
【図９】図９は、本発明の一実施態様に従ったフェムトセルを使用してアクセス制御及びページングを実行するために使用されるネットワーク・エレメント処理のフローチャートである。
【図１０】図１０は、本発明の一実施態様に従ったフェムトセルを使用してアクセス制御を実行するためのメッセージング・プロトコルを示すプロトコル・ダイアグラムである。
【図１１】図１１は、本発明の一実施態様に従ったフェムトセルを使用してページングを実行するためのメッセージングを示すプロトコル・ダイアグラムである。
【図１２】図１２は、本発明の一実施態様に従ったフェムトセルにおけるアクセス制御のためのシステムのブロック図を示す。
【図１３】図１３は、本発明の一実施態様に従ったフェムトセルの特定の機能を実行するためのシステムのブロック図を示す。
【図１４】図１４は、本発明の一実施態様に従ったフェムトセル・ゲートウェイの特定の機能を実行するためのシステムのブロック図を示す。
【図１５】図１５は、本発明の一実施態様に従ったアクセス端末（ＡＴ）の特定の機能を実行するためのシステムのブロック図を表す。
【図１６】図１６は、本発明の一実施態様に従ったハード及びソフト手段を使用するフェムトセルにおけるアクセス制御のための装置のブロック図を示す。
【図１７】図１７は、本発明の一実施態様に従ったフェムトセルにおけるページングのためのシステムのブロック図を示す。
【図１８】図１８は、本発明の一実施態様に従ったフェムトセルの特定の機能を実行するためのシステムのブロック図を示す。
【図１９】図１９は、本発明の一実施態様に従ったフェムトセル・ゲートウェイの特定の機能を実行するためのシステムのブロック図を示す。
【図２０】図２０は、本発明の一実施態様に従ったアクセス端末の特定の機能を実行するためのシステムのブロック図を示す。
【図２１】図２１は、本発明の一実施態様に従ったハード及びソフト手段を使用するフェムトセルにおけるページングのための装置のブロック図を示す。
【詳細な説明】
【００１２】
さて、様々な態様が図面を参照して説明される。ここで、全体にわたって同様のエレメントを指し示すために同様の参照符号が使用される。以下の記述では、説明の目的のために、多数の特定の細部が、１又は複数の態様の深い理解を与えるために説明される。しかし、そのような（１又は複数の）態様がこれら特定の細部なしに実施されることができることは明らかであろう。他のインスタンスにおいて、１又は複数の態様の説明を容易にするために、良く知られた構造及びデバイスが、ブロック図の形で示される。
【００１３】
さらに、本開示の様々な態様が下で説明される。本明細書の教示が多種多様な形で実現されることができ、本明細書に開示される特定の構造及び／又は機能がいずれも単に代表的であることは認識されるべきである。当業者は、本明細書の教示に基づいて、本明細書に開示される態様がいずれの他の態様とも独立して実装されることができることを、また、これら態様のうちの２以上が様々な方法で組み合わせ可能であることを認識するはずである。例えば、本明細書で説明される任意の数の態様を使用して、装置が実装可能であり及び／又は方法が実行可能である。さらに、本明細書で説明される態様の１又は複数に加えて他の構造及び／又は機能を使用して、又は、本明細書で説明される態様の１又は複数とは異なる他の構造及び／又は機能を使用して、装置が実装可能であり及び／又は方法が実行可能である。例えば、本明細書で説明される方法、デバイス、システム及び装置の多くは、異なる複数のアクセスポイント配備を含む無線環境において改善した基地局（ＢＳ）アクセス制御及びページング（例えばフェムトセル・アクセス制御及びページング）を実装することに照らして説明される。当業者は、類似する技術が他の通信環境に適用できることを、認識するはずである。
【００１４】
通信ネットワーク（例えば、公衆地上モバイル・ネットワーク、ＰＬＭＮ、モバイルオペレータ・コアネットワークなど）に対する無線アクセスポイントの開発は、伝統的な無線通信システムと伝統的な固定回線通信システムとの間のコンバージェンスを達成するために提供される一つの解決であった。コンバージェンス（或いは、固定無線コンバージェンスとしても知られている）は、固定回線ネットワーク（例えば、イントラネット、インターネットなど）とモバイル通信ネットワーク（例えば、セルラー電話網）との間のある程度のインターオペラビリティに関係している。本明細書で使用されるアクセスポイントは、アクセス端末（ＡＴ）を通信ネットワークに通信で接続させるように構成される、任意の適切なノード、ルータ、スイッチ、ハブ又はその種の他のものを含む。アクセスポイントは、有線（例えば、イーサネット（登録商標）、ユニバーサルシステムバス［ＵＳＢ］又は通信のための他の有線接続を使用する）、無線（例えば、通信のための無線信号を使用する）、又は、それらの両方であることができる。フェムトセル・アクセスポイントあるいは代わりにフェムト・ノードの例は、アクセスポイント基地局（ＢＳ）、無線ローカルエリアネットワーク（ＷＬＡＮ）アクセスポイント、マイクロ波アクセスのための世界的な相互運用性（worldwide interoperability for microwave access）（ＷｉＭａｘ）ＢＳを含む無線ワイドエリアネットワーク（ＷＷＡＮ）アクセスポイントなどを含む。アクセスポイントＢＳは、例えば回線交換音声ネットワーク、結合された回線交換及びパケット交換音声及びデータ・ネットワーク（a combined circuit-switched and packet-switched voice and data network）又は全パケット音声及びデータ・ネットワーク（all-packet voice and data network）又はその種の他のもののような、モバイル通信オペレータのネットワークに対するアクセスポイントを含む。アクセスポイント基地局の例は、Ｎｏｄｅ Ｂ（ＮＢ）、無線基地局（ＢＴＳ）、ｈｏｍｅ Ｎｏｄｅ Ｂ（home NodeB, Home Node B, HNB）、ホーム展開型（home-evolved） ｅＮｏｄｅ Ｂ（ＨｅＮＢ）、又は単にマクロセル、ミクロセル、ピコセル、フェムトセルなどを含む様々な送信電力／セルサイズのＢＳを含む。
【００１５】
様々なタイプのアクセスポイントＢＳの伝統的なマクロＢＳネットワークへの導入は、そのようなネットワークに対するパーソナル・アクセスについて、かなりの柔軟性及び消費者制御を可能にする。ユーザ端末は近隣のアクセスポイントＢＳ又はマクロ・ネットワークＢＳを選択するようにしばしば構成されることができ、それによって、より良い信号及び／又は他の要因を提供する。さらに、アクセスポイントＢＳは、マクロ・ネットワークと比較して、少なくとも状況次第で、ユーザが使用料を削減するのを可能にする好ましい料金プランを提供することができる。
【００１６】
無線通信の帯域幅及びデータレートが時間とともに増加するにつれて、ＡＴの処理及びユーザインタフェースの能力がより高度になり、ユーザは、パーソナルコンピュータ及び固定回線通信だけで以前は利用できる機能を実行するために、モバイル・デバイスを使用することができる。しかし、典型的なマクロ・ネットワークは主要市場（primary market）として大規模公衆利用にしばしば配備されるので、屋内の受信は、しばしば屋外の受信に比較して（例えば、建物、絶縁材（insulation）、地上のランドスケーピング（ground landscaping）などによる無線周波数信号の吸収に起因して）劣っている可能性があり、そのような環境では、モバイル・デバイスを、固定回線コンピュータに比較して、より効果的にはしない。しかし、アクセスポイントＢＳは、この環境における重要な改善を提供することができる。一つの例として、ＨＮＢ及びＨｅＮＢ技術（以下集合的にＨＮＢと呼ぶ）は、しばしば、ほとんど又はすべてのそのような接続性問題を取り除いて、屋内及び屋外でのパーソナルな無線接続性について、重要な制御をユーザに提供する。ＨＮＢは、したがって、マクロ・ネットワークにとっては最適状態に及ばない環境においてさえ、ＡＴモビリティを更に拡張することができる。
【００１７】
ＨＮＢ及び他のアクセスポイント配備の大きな利点にもかかわらず、アクセスポイントＢＳをオペレータのマクロ・ネットワークに接続させる際に、更なる複雑さに起因して、いくつかの問題がもたらされた。例えば、アクセスポイント配備は、特にＨＮＢの場合、一般的に計画されてないか又は準計画（semi-planned）されており、これは、これらのＢＳがネットワークオペレータの制御の外でインストールされることを意味する。それゆえ、オペレータは、他のそのようなアクセスポイント又は関連するマクロＢＳに比較して、これらのアクセスポイントの理想的な配置を実装するために制限されたキャパシティーを有する。さらにまた、他のアクセスポイント・セルに関係する無線信号の空間シェイピング（又はそのようなアクセスポイント・セルの位置についての正確な知識さえ）は、最適状態に及ばない可能性がある。さらに、ＨＮＢ配備が消費者購入及びインストールにオープンである場合に、そのようなセルの非常に高密度のインストールは、高い人口の都市地域又は商業地域において起こる可能性があり、その結果として、近隣のＨＮＢとマクロセルと間の無線資源の競合をもたらす。
【００１８】
さらにまた、ＨＮＢは、クローズド加入者グループ（ＣＳＧ）に関連している場合があり、そして、ＣＳＧのメンバーだけにネットワーク・アクセスを提供する場合がある；例えば、アクセスは一般セルラー社会（general cellular public）に提供されない。それゆえ、マクロ・ネットワークの中のＨＮＢ配備は、一般的なアクセス（general access）（ＧＡ）のＢＳと制限されたアクセス（restricted access）（ＲＡ）のＢＳとを統合する。基本的なアクセス制御（すなわち、ＢＳがアクセスを許可／拒否する働きをする場合）に加えて、ＨＮＢ配備はまた、不必要なＡＴの送信を回避し、及び、住居配備（residential deployments）（例えば、単一のＨＮＢが固有のＣＳＧを割り当てられて、住居環境に配置される場合）と、企業配備（enterprise deployments）（例えば、複数のＨＮＢが同一のＣＳＧを割り当てられ、複数のＨＮＢが企業環境に配置される場合、など）との両方において機能する、アクセス制御及びページングのためのメカニズムを確立することによって、無線帯域幅を節約するのに役立つであろう。
【００１９】
多くのレガシーＡＴは、ＣＳＧに関係のあるデータ（例えば、ＣＳＧ識別子、ＣＳＧ−ＩＤ、ＣＳＧＩＤ）又はＲＡ ＢＳにより使用される他のデータを、認識し、処理し、又は、応答するように、装備されていない。そのようなＡＴは、それらが更なるアクセス権を許可されるか否かにかかわりなく、ＲＡ ＢＳにアクセスする。言い換えると、レガシーＡＴは、ＣＳＧに関係のあるデータを、認識し、処理し又は応答するように装備されていないので、必要に応じて、アクセス制御メカニズムがネットワークにおいてなされるべきである。アクセス制御がＲＡ ＢＳ単位で（又はＨＮＢ単位で）管理されるならば、ネットワークがアクセス制御を実行するために、様々な技術は、ＡＴが新たなＲＡ ＢＳのカバレージ内へ移動するときはいつでも、ネットワークと通信するようＡＴに要求する。これは、各々のアクセスポイントが異なるアクセス制限（又は異なるＣＳＧ識別子）を有する住居配備には効率的である場合があるが、この技術は、より多数のアクセスポイントが同一のアクセス制限（又はＣＳＧ識別子）を共有し、オーバーラップするカバレージを有する企業配備においては効率的でない場合がある。例えば、ＲＡ ＢＳ単位で管理されるアクセス制御の場合には、一つのＲＡ ＢＳのカバレージから他のＲＡ ＢＳのカバレージへ移動しているＡＴは、フェムトセルの各々の一つにアクセスしようとすることに、かなりの電力を費やすであろう−その全ては不必要なシグナリングで応答する可能性がある。
【００２０】
それゆえ、ＣＳＧ識別子に基づいて応答する（又は応答しない）ＡＴに依存するメカニズムは、うまく機能しない可能性があり、又は、非効率性をもたらす可能性がある。例えば、レガシーＡＴは、（例えば、ＲＡ ＢＳにおいて実施される制限のために）ＡＴへのサービスを確信をもって拒否するであろうフェムトセルへアクセスしようとすることに、かなりの電力を費やす可能性がある。その上、レガシー端末及びレガシー無線ネットワークの標準は、到来する無線信号をスキャンして最適信号を識別し、そして、ページをピックアップすることを、モバイル端末に要求する。端末が識別することができるＢＳが近隣にほんの少しだけ存在する場合には、これは一般的に実行できるプロセスである。しかし、高密度のアクセスポイント配備においては、数十又は数百ものアクセスポイントが、すぐ近くに存在する可能性がある（例えば、大都市のアパートの中で、又は、大企業のスタッフをホストする大規模オフィスビルの中で）。ＡＴのフェムトセル・ホーム・アクセスポイント（該ＡＴを含むＣＳＧを有する）が高密度の配備の中にある場合に、ホーム・アクセスポイントと何百又は何千もの近隣のフォーリン・アクセスポイントを区別することは、重要な問題を生み出す可能性がある。例えば、ＡＴは、該ＡＴに対してネットワーク・アクセスを確信をもって拒否するであろうアクセスポイントにとどまることに（パイロット及び制御チャネルを分析することに）又は該アクセスポイントにシグナリングすることに、かなりの電力を使用しそうである。
【００２１】
前のパラグラフは、アクセス制御に関係する問題を扱う。アクセス制御に加えて、本発明の実施態様は本明細書でページングに関係する問題を扱う。ＡＴは、意図的に（by design）モバイルであり、位置から位置へ移動することができ、さらに、ＡＴは、いつでも、ページを受信することができなければならない。位置から位置へ移動する際に、レガシーＡＴを含むＡＴは、該ＡＴがセル・サイトのカバレージの下に（例えば、ＨＮＢカバレージの下に、フェムトセル・カバレージの下に、など）入るときに、位置エリア更新（Location Area Update）として知られているシグナリングを実行する。フェムトセルが高密度で配備される環境（例えば企業環境）において、比較的多数のフェムトセルは、結局、同一の近接した位置を共有することになり得るので、それゆえ、結局、同一の位置エリアコード（location area code）（ＬＡＣ）を共有することになり得る。いくつかの状況では、高密度の企業配備は、住居配備と近接した同一位置に配置され得る。それゆえ、単にＬＡＣのみに基づくＡＴのページングは、能率が悪い可能性があり、Ｉｕｈインタフェース上に不必要なシグナリングをもたらす可能性があり、そして、同一のＬＡＣを共有するフェムトセルとのシグナリングのために帯域幅の浪費をもたらす可能性がある。
【００２２】
以下で詳細に説明される実施態様は、ＨＮＢの企業配備において、レガシーＡＴの効果的なサポートを扱う。特に、実施態様は、高密度の環境におけるＨＮＢとのＡＴ通信に関係する２つの問題、ページング及びアクセス制御を詳細に議論する。
【００２３】
説明のために、次のパラグラフは、本発明の実施態様を説明する際に使用される用語を案内する。
【００２４】
当該技術において知られているように、そして、本発明の様々な実施態様に従って、ＡＴは、移動局識別情報（mobile station identification）（ＭＳＩＤ）を伝えるための能力を有する。ＡＴが複数の識別情報（identities）を有することができるケースでは、ユーザ又はＡＴは、セッションの間に効力を有する（in effect）特定の移動局識別情報を選択する（すなわち、ユーザ制御の下で、又は、ＡＴにより自立的に）。移動局識別情報（ＭＳＩＤ）は、移動識別番号（mobile identification number）（ＭＩＮ）又は国際移動局識別番号（international mobile station identity）（ＩＭＳＩ）であることができる。移動識別番号（ＭＩＮ）は、移動局に割り当てられる１０桁の数のデジタル表現である３４ビットの数である。国際移動局識別番号（ＩＭＳＩ）は、国際的に固有に移動局を識別する長さ１５桁までの数である。
【００２５】
クローズド加入者グループは、モバイル・ネットワークの１又は複数のセルにアクセスするのを許可されるが、特定のフェムトセル（例えば、ＣＳＧセル）への制限されたアクセスを有する、オペレータの加入者を識別する。例えば、オペレータの加入者は、ユーザの勤務先に配備されるあらゆる／すべてのフェムトセル（例えば、雇い主により配備される一群のフェムトセル）へアクセスするのを許可されるかもしれない。
【００２６】
ＣＳＧセルは、そのＣＳＧ識別情報のためのクローズド加入者グループのメンバーによってアクセスできるフェムトセルである。同一のＣＳＧ識別情報を共有しているすべてのＣＳＧセルは、同一の無線アクセス技術を使用する。同一の識別情報を共有しているすべてのＥ−ＵＴＲＡＮ ＣＳＧセルは、モビリティ管理及び課金（charging）のための一つのグループとして定義可能である。オペレータ及び登録された所有者の合意を条件として、ＣＳＧセルは、無制限のＵＴＲＡＮ又はＥ−ＵＴＲＡＮセルであるように再構成（reconfigured）され得る。
【００２７】
ＣＳＧ識別情報は、関連するクローズド加入者グループの許可されたメンバーのためのアクセスを容易にするために、１又は複数のＣＳＧセルによってブロードキャストされる識別子である。ＣＳＧ識別情報のホワイトリスト（white list）は、加入者が属するＣＳＧのすべてのＣＳＧ識別情報を含むリストである。
【００２８】
本明細書で説明される技術は、例えば符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、ＳＣ−ＦＤＭＡ（シングルキャリアＦＤＭＡ）及び他のシステムのような様々な無線通信システムのために使用されることができる。用語“システム”及び“ネットワーク”はしばしば互換的に使用される。ＣＤＭＡシステムは、例えばユニバーサル地上無線アクセス（ＵＴＲＡ）、ＣＤＭＡ２０００などのような無線技術を実装することができる。ＵＴＲＡは、ワイドバンドＣＤＭＡ（Ｗ−ＣＤＭＡ）及びＣＤＭＡの他の変形を含む。ＣＤＭＡ２０００は、ＩＳ−２０００、ＩＳ−９５及びＩＳ−８５６標準をカバーする。ＴＤＭＡシステムは、例えばグローバル移動体通信システム（ＧＳＭ（登録商標））のような無線技術を実装することができる。ＯＦＤＭＡシステムは、例えば発展型ＵＴＲＡ（Evolved UTRA）（Ｅ−ＵＴＲＡ）、ウルトラ・モバイル・ブロードバンド（ＵＭＢ）、ＩＥＥＥ ８０２．１１（Ｗｉ−Ｆｉ）、ＩＥＥＥ ８０２．１６（ＷｉＭＡＸ）、ＩＥＥＥ ８０２．２０、Ｆｌａｓｈ−ＯＦＤＭ．ＲＴＭなどのような無線技術を実装することができる。ＵＴＲＡ及びＥＵＴＲＡは、ユニバーサル移動通信システム（ＵＭＴＳ）の一部である。ＬＴＥ（ロングタームエボリューション）は、Ｅ−ＵＴＲＡを使用するＵＭＴＳの来るリリースである。そして、それは、ダウンリンク上でＯＦＤＭＡを使用し、アップリンク上でＳＣ−ＦＤＭＡを使用する。ＵＴＲＡ、Ｅ−ＵＴＲＡ、ＵＭＴＳ、ＬＴＥ及びＧＳＭは、“第３世代パートナーシッププロジェクト”（３ＧＰＰ）と言う名前の団体からのドキュメントに記載されている。ＣＤＭＡ２０００及びＵＭＢは、“第３世代パートナーシッププロジェクト２”（３ＧＰＰ２）という名前の団体からのドキュメントに記載されている。
【００２９】
シングルキャリア周波数分割多元接続（ＳＣ−ＦＤＭＡ）は、シングルキャリア変調及び周波数領域イコライゼイションを利用する技術である。ＳＣ−ＦＤＭＡは、ＯＦＤＭＡシステムと同様のパフォーマンスを有し、また、ＯＦＤＭＡシステムと基本的に同じ全体的な複雑さを有する。ＳＣ−ＦＤＭＡ信号は、その固有のシングルキャリア構造のため、より低いピーク対平均電力比（ＰＡＰＲ）を有する。特により低いＰＡＰＲが送信電力効率に関してモバイル端末のために大いに利益をもたらすアップリンク通信において、ＳＣ−ＦＤＭＡは、大きな注意をひいた。それは現在３ＧＰＰのロングタームエボリューション（ＬＴＥ）又は発展型ＵＴＲＡにおけるアップリンク多元接続スキームのための作業仮設（working assumption）である。
【００３０】
この主題の開示において使用される用語“コンポーネント（component）”、“システム（system）”、“モジュール（module）”及び同類のものは、コンピュータ関連のエンティティーである、ハードウェア、ソフトウェア、実行中のソフトウェア、ミドルウェア、マイクロコード、及び／又は、それらの任意の組み合わせを指し示すことを意図されている。例えば、コンポーネントは、プロセッサ上で動作するプロセス、プロセッサ、オブジェクト、実行ファイル（executable）、実行のスレッド、プログラム、デバイス、及び／又は、コンピュータであることができる（ただし、これらに制限されるものではない）。１又は複数のモジュールがプロセス及び／又は実行のスレッドの内部に存在しても良く、また、一つのモジュールが一つの電子デバイスに局在し及び／又は２以上の電子デバイス間に分散されることができる。さらに、これらモジュールは、様々なデータ構造を記録した様々なコンピュータ読み取り可能な媒体から実行することができる。それらモジュールは、例えば、１又は複数のデータパケット（例えば、その信号を経由して、ローカルシステムにおいて、分散システムにおいて及び／又は例えば他のシステムをともなうインターネットのようなネットワークを横切って、他のコンポーネントとインタラクトする、一つのコンポーネントからのデータ）を持つ信号に従うような、ローカルプロセス及び／又はリモートプロセスを経由して、通信することができる。さらに、当業者によって認識されるように、本明細書で説明されるシステムのコンポーネント又はモジュールは、それに関して説明される、様々な態様、目的、利点などを達成するのを容易にするために、更なるコンポーネント／モジュール／システムによって再構成及び／又は補完されることができ、また、所定の図面で説明された厳密な構成に制限されない。
【００３１】
さらにまた、アクセス端末に関連して様々な態様が本明細書で説明される。ＡＴはまた、システム、加入者ユニット、加入者局、移動局、モバイル、モバイル通信デバイス、モバイル・デバイス、リモート局、リモート端末、アクセス端末（ＡＴ）、ユーザ・エージェント（ＵＡ）、ユーザデバイス又はユーザ装置（ＵＥ）などと呼ばれることができる。加入者局は、セルラー電話、コードレス電話、セッション開始プロトコル（ＳＩＰ）電話、ワイヤレスローカルループ（ＷＬＬ）局、携帯情報端末（ＰＤＡ）、る無線接続機能を有するハンドヘルド・デバイス、又は、無線モデム若しくは他の処理デバイスとの無線通信を容易にする類似するメカニズムに接続される処理デバイスであることができる。
【００３２】
本明細書で使用されるように、コンピュータ記憶媒体は、コンピュータによってアクセスされることができる任意の物理媒体であることができる。制限としてではなく例として、そのような記憶媒体は、ＲＡＭ、ＲＯＭ、ＥＥＰＲＯＭ、ＣＤ−ＲＯＭ又は他の光ディスク記憶装置、磁気ディスク記憶装置又は他の磁気記憶装置、スマートカード、及び、フラッシュメモリデバイス（例えば、カード、スティック、キードライブ．．．）、又は、インストラクション又はデータ構造の形で所望のプログラム・コードを運ぶ又は記憶するために使用されることができ且つコンピュータによりアクセスされることができる任意の他の適切な媒体を含むことができる。ハードウェア通信媒体は、少なくとも部分的に電気的、機械的及び／又は電気機械的ハードウェアを使用して、一つのエンティティからもう一つのエンティティへのコンピュータ・プログラムの受け渡しを容易にする、任意の適切なデバイス又はデータコネクションを含むことができる。一般に、データコネクションは、適切にコンピュータ読み取り可能な媒体と呼ばれる。例えば、同軸ケーブル、光ファイバーケーブル、ツイストペア、デジタル加入者線（ＤＳＬ）、通信バス構造、イーサネット、又は、例えば赤外線、無線及びマイクロ波のような無線技術を使用することによって、ウェブサイト、サーバ、又は他のリモートソースからプログラム、ソフトウェア又は他のデータが送信される場合に、その同軸ケーブル、光ファイバーケーブル、ツイストペア、ＤＳＬ、又は、例えば赤外線、無線及びはマイクロ波のような無線技術は、媒体の定義に含まれ、また、そのような媒体に関連する任意の適切なハードウェア・コンポーネントは、ハードウェア通信媒体の定義に含まれる。本明細書で用いられるディスク（Disk）及びディスク（disc）は、コンパクトディスク（ＣＤ）、レーザーディスク（登録商標）、光ディスク、デジタル・バーサタイル・ディスク（ＤＶＤ）、フロッピー（登録商標）ディスク及びブルーレイディスク（登録商標）を含む。ここで、ディスク（disks）は、通常、磁気的にデータを再生（reproduce）し、ディスク（discs）は、レーザーを使って光学的にデータを再生する。上記の組み合わせはまた、コンピュータ読み取り可能な媒体の範囲の中に含まれるべきである。
【００３３】
ハードウェア実装については、本明細書で開示される態様に関連して説明される処理ユニットの様々な実例となる論理、論理ブロック、モジュール及び回路は、１又は複数の特定用途向け集積回路（ＡＳＩＣ）、デジタルシグナルプロセッサ（ＤＳＰ）、デジタル信号処理装置（ＤＳＰＤｓ）、プログラマブル・ロジック・デバイス（ＰＬＤ）、フィールド・プログラマブル・ゲート・アレイ（ＦＰＧＡｓ）、ディスクリート・ゲート若しくはトランジスタ・ロジック、ディスクリート・ハードウェア・コンポーネント、汎用プロセッサ、コントローラ、マイクロコントローラ、マイクロプロセッサ、本明細書で説明される機能を実行するようにデザインされた他の電子ユニット、又は、それらの組み合せの中で実装又は実行されることができる。汎用プロセッサは、マイクロプロセッサであっても良いが、代わりに、プロセッサは、任意の従来のプロセッサ、コントローラ、マイクロコントローラ又は状態機械であることができる。プロセッサはまた、複数のコンピュータデバイスの組合せ（例えば、ＤＳＰとマイクロプロセッサの組み合せ、複数のマイクロプロセッサ、ＤＳＰコアと連携した１又は複数のマイクロプロセッサ、又は、任意の他のそのような構成）として実装されることができる。さらに、少なくとも一つのプロセッサは、本明細書で説明されるステップ及び／又はアクションのうちの１又は複数を実行するように動作可能な１又は複数のモジュールを含んでも良い。
【００３４】
さらに、本明細書で説明される様々な態様又は特徴は、標準的なプログラミング及び／又はエンジニアリング技術を使用して、方法、装置又は製品（article of manufacture）として実装されることができる。さらに、本明細書で開示される態様に関連して説明される方法又はアルゴリズムのステップ及び／又はアクションは、直接ハードウェアにおいて、プロセッサにより実行されるソフトウェア・モジュールにおいて、又は、それら二つの組み合せにおいて、具体化されても良い。さらに、いくつかの態様において、方法又はアルゴリズムのステップ及び／又はアクションは、コンピュータ・プログラム製品に組み込まれることができる、デバイス読み取り可能な媒体、機械読み取り可能な媒体及び／又はコンピュータ読み取り可能な媒体上のコード及び／又はインストラクションの少なくとも一つ又は任意の組み合わせ又はセットとして存在することができる。本明細書で使用される用語「製品（article of manufacture）」は、任意のコンピュータ読み取り可能なデバイス又は媒体からアクセス可能なコンピュータ・プログラムを含むことを意図されている。
【００３５】
さらに、“例示的な（exemplary）”という語は、例（example）、インスタンス（instance）又はイラストレーション（illustration）として役に立つことを意味するために本明細書で使用される。“例示的な（exemplary）”として本明細書で説明される態様又はデザインは、必ずしも他の態様又はデザイン以上に好ましい又は有利であると解釈されるというわけではない。むしろ、例示的な（exemplary）、という語の用法は、具体的な方法で概念を提示することを目的とする。この明細書及び添付のクレームにおいて使用されるように、用語“又は（or）”は、排他的な“又は”（exclusive “or”）よりはむしろ包含的な“又は”（inclusive “or”）を意味することが意図される。つまり、明記され又は文脈から明らかでない限り、“ＸはＡ又はＢを使用する（X employs A or B）”は、自然な包含的な置き換えのいずれをも意味することが意図される。つまり、ＸはＡを使用する、ＸはＢを使用する、又は、ＸはＡ及びＢの両方を使用するならば、“ＸはＡ又はＢを使用する（X employs A or B）”というフレーズは、前述の例のいずれの下でも満たされる。さらに、この明細書及び添付のクレームにおいて使用される冠詞“一つの（ａ）”及び“一つの（ａｎ）”は、単数形が指示されるべきことが明記され又は文脈から明らかでない限り、通常、“１又は複数（one or more）”を意味するものと解釈されるべきである。
【００３６】
図１を参照して、一実施態様に従った多元接続無線通信システムが説明される。アクセスポイント１０２（ＡＰ）は、複数のアンテナグループ、アンテナ１０４及び１０６を含む一つのアンテナグループと、アンテナ１０８及び１１０を含むもう一つのアンテナグループと、アンテナ１１２及び１１４を含む更なるアンテナグループとを含む。図１において、各々のアンテナグループごとに、２つのアンテナだけが示される；しかし、各々のアンテナグループについて、より多くのアンテナ又はより少ないアンテナが使用されても良い。アクセス端末１１６（ＡＴ）は、アンテナ１１２及び１１４と通信する。ここで、アンテナ１１２及び１１４は、順方向リンク１２０上でアクセス端末１１６に情報を送信し、逆方向リンク１１８上でアクセス端末１１６から情報を受信する。アクセス端末１２２は、アンテナ１０６及び１０８と通信する。ここで、アンテナ１０６及び１０８は、順方向リンク１２６上でアクセス端末１２２に情報を送信し、逆方向リンク１２４上でアクセス端末１２２から情報を受信する。ＦＤＤシステムにおいて、通信リンク１１８，１２０，１２４及び１２６は、通信のために異なる周波数を使用し得る。例えば、順方向リンク１２０は、逆方向リンク１１８により使用される周波数とは異なる周波数を使用し得る。
【００３７】
それらが通信するようにデザインされているアンテナ及び／又は地域の各々のグループは、アクセスポイントのセクターとしばしば呼ばれる。図１の実施態様では、アンテナグループは、それぞれ、アクセスポイント１０２によりカバーされるエリアのセクターにおいてアクセス端末と通信するようにデザインされている。
【００３８】
順方向リンク１２０及び１２６上での通信において、アクセスポイント１０２の送信アンテナは、異なるアクセス端末１１６及び１２２のために順方向リンクの信号対雑音比を改善するために、ビームフォーミングを利用する。また、そのカバレージにわたってランダムに散在するアクセス端末に送信するためにビームフォーミングを使用するアクセスポイントは、近隣のセル中のアクセス端末に対して、すべてのそのアクセス端末に単一アンテナを通して送信するアクセスポイントよりも少ない干渉を引き起こす。
【００３９】
図２は、ＭＩＭＯシステム２００における送信機システム２１０（アクセスポイントとしても知られている）及び受信機システム２５０（アクセス端末としても知られている）の実施態様のブロック図である。送信機システム２１０において、いくつかのデータストリームのためのトラフィック・データは、データソース２１２から送信（ＴＸ）データプロセッサ２１４へ提供される。実施態様では、各々のデータストリームは、それぞれの送信アンテナの上に送信される。ＴＸデータプロセッサ２１４は、符号化データを提供するために、そのデータストリーム用に選択される特定の符号化スキームに基づいて、各々のデータストリームごとにトラフィック・データを、フォーマットし、符号化し、インターリーブする。
【００４０】
各々のデータストリームごとの符号化データは、ＯＦＤＭ技術を使用してパイロット・データと多重化されても良い。パイロット・データは、一般的に、既知の方法で処理される既知のデータ・パターンであり、また、チャネル・レスポンスを推定するために受信機システムで使用されても良い。多重化されたパイロット及び各々のデータストリームごとの符号化データは、それから、変調シンボルを提供するために、そのデータストリーム用に選択される特定の変調スキーム（例えば、ＢＰＳＫ、ＱＳＰＫ、Ｍ−ＰＳＫ又はＭ−ＱＡＭ）に基づいて、変調（すなわち、シンボル・マッピング）される。各々のデータストリームごとのデータレート、符号化及び変調は、プロセッサ２３０によって実行されるインストラクションによって判定されても良い。
【００４１】
すべてのデータストリームのための変調シンボルは、それから、ＴＸ ＭＩＭＯプロセッサ２２０に提供される。そして、ＴＸ ＭＩＭＯプロセッサ２２０は、更に、変調シンボルを（例えばＯＦＤＭのために）処理しても良い。ＴＸ ＭＩＭＯプロセッサ２２０は、それから、ＮＴ個の変調シンボル・ストリームをＮＴ個の送信機（ＴＭＴＲ）２２２ａ〜２２２ｔに提供する。特定の実施態様では、ＴＸ ＭＩＭＯプロセッサ２２０は、ビームフォーミング重みを、データストリームのシンボルに、また、シンボルが送信されているアンテナに、適用する。
【００４２】
各々の送受信機２２２は、１又は複数のアナログ信号を提供するために、それぞれのシンボル・ストリームを受信して処理し、そして、更に、ＭＩＭＯチャネルの上での伝送に適した変調信号を提供するために、該アナログ信号を調整（例えば、増幅、フィルタリング及びアップコンバート）する。それから、送受信機２２２ａ〜２２２ｔからのＮＴ個の変調信号は、それぞれ、ＮＴ個のアンテナ２２４ａ〜２２４ｔへ送信される。
【００４３】
受信機システム２５０において、送信された変調信号は、ＮＲ個のアンテナ２５２ａ〜２５２ｒで受信され、各々のアンテナ２５２からの受信信号は、それぞれの受信機（ＲＣＶＲ）２５４ａ〜２５４ｒに提供される。各々の受信機２５４は、それぞれの受信信号を調整（例えば、フィルタリング、増幅及びダウンコンバート）し、サンプルを提供するために、該調整された信号をデジタイズし、そして、更に、対応する“受信（received）”シンボル・ストリームを提供するために、該サンプルを処理する。
【００４４】
ＲＸデータプロセッサ２６０は、それから、ＮＴ個の“検出（detected）”シンボル・ストリームを提供するために、特定の受信機処理技術に基づいて、ＮＲ個の受信機２５４からのＮＲ個の受信シンボル・ストリームを受信して処理する。ＲＸデータプロセッサ２６０は、それから、データストリームのためのトラフィック・データをリカバーするために、各々の検出シンボル・ストリームを、復調し、デインターリーブし、そして、復号化する。ＲＸデータプロセッサ２６０による処理は、送信機システム２１０におけるＴＸ ＭＩＭＯプロセッサ２２０及びＴＸデータプロセッサ２１４により実行される処理と相補的である。
【００４５】
プロセッサ２７０は、周期的に、いずれのプリコーディング行列を使用するべきかについて判定する（以下に記す）。プロセッサ２７０は、マトリックス・インデックス部及びランク値部を含む逆方向リンク・メッセージを作成する（formulates）。
【００４６】
逆方向リンク・メッセージは、通信リンク及び／又は受信データストリームに関する様々なタイプの情報を含んでも良い。逆方向リンク・メッセージは、それから、ＴＸデータプロセッサ２３８により処理され（ＴＸデータプロセッサ２３８はまたデータソース２３６からいくつかのデータストリームのためのトラフィック・データを受信する）、変調器２８０により変調され、送信機２５４ａ〜２５４ｒにより調整され、そして、もとの送信機システム２１０へ送信される。
【００４７】
送信機システム２１０において、受信機システム２５０からの変調信号は、アンテナ２２４により受信され、送受信機２２２により調整され、復調器２４０により復調され、そして、受信機システム２５０によって送信される予備リンク・メッセージを抽出するために、ＲＸデータプロセッサ２４２により処理される。プロセッサ２３０は、それから、ビームフォーミング重みを定義するためにいずれのプリコーディング行列を使用するべきかについて判定し、そして、抽出されたメッセージを処理する。
【００４８】
一つの態様において、論理チャネルは、制御チャネルとトラフィック・チャネルとに分類される。論理制御チャネルは、システム制御情報をブロードキャストするためのＤＬチャネルであるブロードキャスト制御チャネル（ＢＣＣＨ）及びページング情報を転送するためのＤＬチャネルであるページング制御チャネル（ＰＣＣＨ）を含む。マルチキャスト制御チャネル（ＭＣＣＨ）は、１又は数個のＭＴＣＨについて、マルチメディア・ブロードキャスト及びマルチキャスト・サービス（Multimedia Broadcast and Multicast Service）（ＭＢＭＳ）、スケジューリング及び制御情報を送信するために使用されるポイントツーマルチポイントＤＬチャネルである。通常、ＲＲＣコネクションの確立後、このチャネルは、ＭＢＭＳを受信するＡＴにより用いられるだけである（注意：旧ＭＣＣＨ＋ＭＳＣＨ）。専用制御チャネル（ＤＣＣＨ）は、専用制御情報を送信するポイントツーポイント双方向チャネルであり、ＲＲＣコネクションを有するＡＴにより使用される。一つの態様において、論理トラフィック・チャネルは、ユーザ情報の転送のために、一つのＡＴに専用される、ポイントツーポイント双方向チャネルである専用トラフィックチャネル（ＤＴＣＨ）を含む。また、ポイントツーマルチポイントＤＬチャネルのためのマルチキャスト・トラフィックチャネル（ＭＴＣＨ）は、トラフィック・データを送信するために使用される。
【００４９】
一つの態様において、トランスポート・チャネルは、ＤＬとＵＬに分類される。ＤＬトランスポート・チャネルは、ブロードキャスト・チャネル（ＢＣＨ）、ダウンリンク共有データ・チャネル（ＤＬ−ＳＤＣＨ）及びページング・チャネル（ＰＣＨ）を含む。ここで、ＰＣＨは、ＡＴ省電力のサポートのためであり（ＤＲＸサイクルはネットワークによりＡＴへ示される）、セル全体にわたってブロードキャストされ、他の制御／トラフィック・チャネルのために使用されることができるＰＨＹ資源にマッピングされる。ＵＬトランスポート・チャネルは、ランダム・アクセス・チャネル（ＲＡＣＨ）、リクエスト・チャネル（ＲＥＱＣＨ）、アップリンク共有データ・チャネル（ＵＬ−ＳＤＣＨ）及び複数のＰＨＹチャネルを含む。ＰＨＹチャネルは、一組のＤＬチャネル及びＵＬチャネルを含む。
【００５０】
ＤＬ ＰＨＹチャネルは以下を含む：  
共通パイロットチャネル(Common Pilot Channel)(CPICH)、  
同期チャネル(Synchronization Channel)(SCH)、  
共通制御チャネル(Common Control Channel)(CCCH)、  
共有ＤＬ制御チャネル(Shared DL Control Channel)(SDCCH)、  
マルチキャスト制御チャネル(Multicast Control Channel)(MCCH)、  
共有ＵＬ割り当てチャネル(Shared UL Assignment Channel)(SUACH)、  
承認チャネル(Acknowledgement Channel)(ACKCH)、  
ＤＬ物理共有データ・チャネル(DL Physical Shared Data Channel)(DL-PSDCH)、  
ＵＬ電力制御チャネル(UL Power Control Channel)(UPCCH)、  
ページング・インジケータ・チャネル(Paging Indicator Channel)(PICH)、  
負荷インジケータ・チャネル(Load Indicator Channel)(LICH)。
【００５１】
ＵＬ ＰＨＹチャネルは以下を含む：  
物理ランダム・アクセス・チャネル(Physical Random Access Channel)(PRACH)、  
チャネル品質インジケータ・チャネル(Channel Quality Indicator Channel)(CQICH)、
承認チャネル(Acknowledgement Channel)(ACKCH)、  
アンテナ・サブセット・インジケータ・チャネル(Antenna Subset Indicator Channel)(ASICH)、  
共有リクエスト・チャネル(Shared Request Channel)(SREQCH)、  
ＵＬ物理共有データ・チャネル(UL Physical Shared Data Channel)(UL-PSDCH)、  
ブロードバンド・パイロットチャネル(Broadband Pilot Channel)(BPICH)。
【００５２】
一つの態様において、シングルキャリア波形の低いＰＡＲ（いつでも該チャネルは隣接するか又は周波数上で均一に間隔をあけられる）特性を維持するチャネル構造が提供される。
【００５３】
本文書のために以下の省略形が適用される：  
ＡＭ  承認モード(Acknowledged Mode)  
ＡＴ  アクセス端末(Access Terminal)  
ＡＭＤ  承認モード・データ(Acknowledged Mode Data)  
ＡＲＱ  自動再送リクエスト(Automatic Repeat Request)  
ＢＣＣＨ  ブロードキャスト制御チャネル(Broadcast Control Channel)  
ＢＣＨ  ブロードキャスト・チャネル(Broadcast Channel)  
Ｃ−  制御−(Control-)  
ＣＣＨ  共通制御チャネル(Common Control Channel)  
ＣＣＨ  制御チャネル(Control Channel)  
ＣＣＴｒＣＨ  符号化複合トランスポート・チャネル(Coded Composite Transport Channel)  
ＣＰ  サイクリックプリフィックス(Cyclic Prefix)  
ＣＲＣ  巡回冗長検査(Cyclic Redundancy Check)  
ＣＳＧ  クローズド加入者グループ(Closed Subscriber Group)  
ＣＴＣＨ  共通トラフィック・チャネル(Common Traffic Channel)  
ＤＣＣＨ  専用制御チャネル(Dedicated Control Channel)  
ＤＣＨ  専用チャネル(Dedicated Channel)  
ＤＬ  ダウンリンク(DownLink)  
ＤＳＣＨ  ダウンリンク共有チャネル(Downlink Shared Channel)  
ＤＴＣＨ  専用トラフィック・チャネル(Dedicated Traffic Channel)  
ＦＡＣＨ  順方向リンク・アクセス・チャンネル(Forward link Access Channel)  
ＦＤＤ  周波数分割双方向(Frequency Division Duplex)  
ＨＮＢＩＤ  フェムトセルＩＤ(Femto cell ID)  
ＩＭＳＩ  国際移動局識別番号(International Mobile Station Identity)  
Ｌ１  レイヤ1（物理レイヤ）(Layer 1 (physical layer))  
Ｌ２  レイヤ2（データリンク層）(Layer 2 (data link layer))  
Ｌ３  レイヤ3（ネットワーク層）(Layer 3 (network layer))  
ＬＩ  長さインジケータ(Length Indicator)  
ＬＳＢ  最下位ビット(Least Significant Bit)  
ＭＡＣ  メディアアクセス制御(Medium Access Control)  
ＭＢＭＳ  マルチメディア・ブロードキャスト・マルチキャスト・サービス(Multimedia Broadcast Multicast Service)  
ＭＣＣＨ  ＭＢＭＳポイントツーマルチポイント制御チャネル(MBMS point-to-multipoint Control Channel)  
ＭＲＷ  ムーブ受信ウインドウ(Move Receiving Window)  
ＭＳＢ  最上位ビット(Most Significant Bit)  
ＭＳＣＨ  ＭＢＭＳポイントツーマルチポイント・スケジューリング・チャネル(MBMS point-to-multipoint Scheduling Channel)  
ＭＴＣＨ  ＭＢＭＳポイントツーマルチポイント・トラフィック・チャネル(MBMS point-to-multipoint Traffic Channel)  
ＰＣＣＨ  ページング制御チャネル(Paging Control Channel)  
ＰＣＨ  ページング・チャネル(Paging Channel)  
ＰＤＵ  プロトコル・データ・ユニット(Protocol Data Unit)  
ＰＨＹ  物理レイヤ(PHYsical layer)  
ＰｈｙＣＨ  物理チャネル(Physical Channels)  
ＲＡＣＨ  ランダム・アクセス・チャネル(Random Access Channel)  
ＲＬＣ  無線リンク制御(Radio Link Control)  
ＲＲＣ  無線資源制御(Radio Resource Control)  
ＳＡＰ  サービス・アクセス・ポイント(Service Access Point)  
ＳＤＵ  サービス・データユニット(Service Data Unit)  
ＳＨＣＣＨ  共有チャネル制御チャネル(SHared channel Control Channel)  
ＳＮ  シーケンス番号(Sequence Number)  
ＳＵＦＩ  スーパーフィールド(SUper Field)  
ＴＣＨ  トラフィック・チャネル(Traffic Channel)  
ＴＤＤ  時分割双方向(Time Division Duplex)  
ＴＦＩ  トランスポート・フォーマット・インジケータ(Transport Format Indicator)
ＴＭ  トランスペアレント・モード(Transparent Mode)  
ＴＭＤ  トランスペアレント・モード・データ(Transparent Mode Data)  
ＴＴＩ  送信タイムインターバル(Transmission Time Interval)  
Ｕ−  ユーザ−(User-)  
ＵＥ  ユーザ装置(User Equipment)  
ＵＬ  アップリンク(UpLink)  
ＵＭ  未承認モード(Unacknowledged Mode)  
ＵＭＤ  未承認モード・データ(Unacknowledged Mode Data)  
ＵＭＴＳ  ユニバーサル移動通信システム(Universal Mobile Telecommunications System)  
ＵＴＲＡ  ＵＭＴＳ地上無線アクセス(UMTS Terrestrial Radio Access)  
ＵＴＲＡＮ  ＵＭＴＳ地上無線アクセスネットワーク(UMTS Terrestrial Radio Access Network)  
ＭＢＳＦＮ  マルチキャスト・ブロードキャスト単一周波数ネットワーク(multicast broadcast single frequency network)  
ＭＣＥ  ＭＢＭＳ調整エンティティ(MBMS coordinating entity)  
ＭＣＨ  マルチキャスト・チャネル(multicast channel)  
ＤＬ−ＳＣＨ  ダウンリンク共有チャネル(downlink shared channel)  
ＭＳＣＨ  ＭＢＭＳ制御チャネル(MBMS control channel)  
ＰＤＣＣＨ  物理ダウンリンク制御チャネル(physical downlink control channel)  
ＰＤＳＣＨ  物理ダウンリンク共有チャネル(physical downlink shared channel)
図３は、ネットワーク環境内でのアクセスポイントＢＳ（例えば、ＨＮＢ）の配備を可能にする例示的な通信システム３００を示す。システム３００は、（１又は複数の）フェムトセル又はフェムト・ノード３１０（それらの各々は、小規模のネットワーク環境に対応してインストールされる）を含む複数のアクセスポイントＢＳを含む。小規模のネットワーク環境の例は、実質的に任意の屋内の及び／又は屋内／屋外の施設３３０を含むことができる。（１又は複数の）フェムトセル３１０は、関連するＡＴ３２０（例えば、（１又は複数の）フェムトセル３１０に関連しているＣＳＧに含まれるそれらのＡＴ）にサービスするように構成されることができ、又は、オプションで、外部（alien）又は訪問（visitor）ＡＴ３２０（例えば、（１又は複数の）フェムトセル３１０のＣＳＧのために設定されていないそれらのＡＴ）にサービスするように構成されることができる。ＡＴ３２０は、無線リンク３６０の上でフェムトセル３１０と通信する。各々のフェムトセル３１０は、更に、ＤＳＬルータ（図示せず）又は代わりにケーブルモデム、電力線コネクション上のブロードバンド、衛星インターネット接続、又は、同類のブロードバンド・インターネット接続３７０を介して、インターネット３４０及びモバイルオペレータ・コアネットワーク３５０に接続される。
【００５４】
フェムトセル３１０は、Ｈｏｍｅ ＮｏｄｅＢユニット（ＨＮＢ）又はホーム展開型（home-evolved） ＮｏｄｅＢユニット（ＨｅＮＢ）として実現されても良い。図示されるように、ＡＴ３２０は、本明細書で説明される様々な技術を利用して、マクロ・セルラー環境で及び／又は住居の小規模のネットワーク環境でオペレートするための能力を有する。それゆえ、少なくともいくつかの開示された態様において、フェムトセル３１０は、任意の適切な既存のＡＴ３２０と下位互換性を持つことができる。本明細書で説明される態様は３ＧＰＰの用語を使用するが、本態様は、３ＧＰＰ技術(Release 99 [Rel99], Rel5, Rel6, Rel7, Rel8, Rel9, Rel10)にも、３ＧＰＰ２技術(1xRTT, 1xEV-DO Rel0, RevA, RevB)及び他の既知で関係のある技術にも適用されることができることが理解されるべきであることは理解されるべきである。
【００５５】
図４は、一実施態様に従った高密度のアクセスポイント環境内のコンポーネント間で通信を確立するためのシステム４００のためのフローチャートである。オプションとして、本システム４００は、図１〜図３のアーキテクチャー及び機能性との関連で実装されても良い。もちろん、しかしながら、システム４００又はその中の任意のオペレーションは、任意の所望の環境において実施され得る。
【００５６】
図示されるように、ＡＴ３２０は、無線リンク３６０の上でネットワーク・エレメント４２５と通信する。無線リンク３６０は、メッセージ（例えば、アクセス・リクエスト、アクセス許可、ページ、ブロードキャスト・メッセージ、ＡＴ登録アクセプト・メッセージ、位置更新など）を運んでも良い。ネットワーク・エレメントは、（１又は複数の）フェムトセル３１０、（１又は複数の）セキュリティ・ゲートウェイ４３５、（１又は複数の）フェムトセル・ゲートウェイ４４５（例えばＨＮＢゲートウェイ）及びモバイルオペレータ・コアネットワーク３５０を含んでも良い。図示されるネットワーク・エレメントに加えて、ネットワーク・エレメント４２５は、モビリティ管理エンティティ（ＭＭＥ）、Ｈｏｍｅ ＮｏｄｅＢゲートウェイ（ＨＮＢ−ＧＷ）、モバイル・スイッチ・センター（ＭＳＣ）、サービングＧＰＲＳサービングノード（ＳＧＳＮ）及び／又は訪問位置レジスタ（visiting location register）（ＶＬＲ）を含んでも良い。より詳しくは、ＡＴ３２０は、フェムトセル３１０と通信し、そして、フェムトセル３１０は、セキュリティ・ゲートウェイ４３５、フェムトセル・ゲートウェイ４４５（例えばＨＮＢ−ＧＷ）及びモバイルオペレータ・コアネットワーク３５０と通信する。通信リンクのうちの任意のものが、任意の適切な技術（例えば、無線通信（over-the-air communications）、有線又は無線通信（wired or wireless communications）、公衆交換網など）を含んでも良く、また、インターネット３４０のような通信インフラストラクチャーを使用しても良い。
【００５７】
フェムトセル３１０は、フェムトセル・ゲートウェイ４４５と通信する。フェムトセル・ゲートウェイは、ＨＮＢゲートウェイ（ＨＮＢ−ＧＷ）、又はホーム展開型（home-evolved）ｅＮｏｄｅＢゲートウェイ（ＨｅＮＢ−ＧＷ）、又はコンピュータ制御の下でメッセージ交換を実行することができる他のゲートウェイ・デバイスとして実現されても良い。
【００５８】
フェムトセル・ゲートウェイ４４５は、モバイルオペレータ・コアネットワーク３５０と１又は複数のフェムトセル３１０（場合によってはセキュリティ・ゲートウェイ４３５を伴う）との間でのメッセージングのサービスをする。図示されるように、セキュリティ・ゲートウェイは、フェムトセル・ゲートウェイから独立した（例えば、フェムトセル・ゲートウェイ４４５から分離された）モジュールとして実現されても良く、又は、下で説明されているように、セキュリティ・ゲートウェイは、フェムトセル・ゲートウェイの中のモジュールとして実現されても良い。
【００５９】
ネットワーク・エレメント４２５のうちの任意の１つ又は複数は、リスト４５５を含んでも良い。該リスト４５５は、様々なタイプの識別子４６５又は複数の識別子（例えば、ＣＳＧＩＤ、ＩＭＳＩ、位置識別子、識別子、第１の識別子、第２の識別子、第３の識別子など）を含む。また、該リスト４５５は、１種類の識別子を他の種類の識別子４６５と関連付けるように（例えば、ペアのリストで、テーブルのリストで、その他）、構成されても良い。そのようなリスト４５５は、メモリに記憶されても良く、また、有効な識別子、及び／又は有効なアクセスを識別するための有効な識別子ペア（例えば、任意の１又は複数のアクセス権）、又は有効なアクセスを識別する識別子の任意の構成における任意の関係を含んでも良い。例えば、リスト４５５は、ＩＭＳＩに基づいて特定のＡＴ３２０への有効なアクセスを示すペアを含んでも良く、及び／又はＣＳＧＩＤについて有効なＩＭＳＩを示すペアを含んでも良い。特定のＡＴが特定のフェムトセルへのアクセス権を有するならば、そのようなリスト４５５は、該特定のＡＴからのリクエストに応答して該特定のフェムトセルへの特定のＡＴアクセスを許可するように使用されることができる。様々な実施形態において、ネットワーク・エレメント４２５の任意の１つ又は複数のコンポーネント（例えば、フェムトセル３１０、フェムトセル・ゲートウェイ４４５、モバイルオペレータ・コアネットワーク３５０など）は、ＡＴが、割り当てられた許可できるアクセス権であるリスト４５５から識別されるならば、フェムトセルへの該ＡＴのアクセスを許可するインジケーションを生成することができる。
【００６０】
ネットワーク・エレメント４２５の任意の１つ又は複数は、プロセッサ及びメモリを含んでも良い。例えば、フェムトセル３１０は、フェムトセル・プロセッサ４１６及びフェムトセル・メモリ４１７を含んでも良い。又は、フェムトセル・ゲートウェイ４４５は、フェムトセル・ゲートウェイ・プロセッサ４４６及びフェムトセル・ゲートウェイ・メモリ４４７を含んでも良い。
【００６１】
以下で詳細に説明される実施態様は、一般に、ＨＮＢの幅広い配備におけるレガシーＡＴの効果的なサポートを扱う。特に、実施態様は、関連する問題、特にアクセス制御及びページングに関係のある問題を扱ういくつかの可能な技術を提示する。ＨＮＢ ＩＭＳＩ単位のリストに基づくＡＴアクセス制御のための技術は、同一のＣＳＧを共有している複数のＨＮＢの大規模な配備（例えば、企業配備の場合のような）について、上手く比例（scale）しない場合がある。また、いくつかのＨＮＢ依存ページング（HNB-specific paging）技術が、特定のＨＮＢにおけるページングのためのメカニズムとして提案されたが、それでも、そのようなＨＮＢ依存ページング・メカニズムはまた、企業配備に適していないように見える。本明細書で説明されるように、本発明の実施態様は、アクセス制御及びページングの両方について取り組むために、既存のクローズド加入者グループ識別子（ＣＳＧＩＤ）を使用する。
【００６２】
アクセス及びページングに関するシグナリング効率に影響を及ぼす制約
フェムトセルの広範囲にわたる配備は、おそらく、フェムトセルの密度が時間とともに増加することを余儀なくさせる。住居及び企業フェムトセルの両方が、同一の近傍に配備され得る。さらに、企業配備は、例えば同一の高層建築の中に位置するフェムトセルの非常に高い密度を含み得る。住居及び企業配備の同一位置への配置を伴うそのような密度は、解決されるべき新たな問題をもたらす。
【００６３】
本発明の実施態様では、レガシー及び非レガシーＡＴの両方が、（例えば、クローズド加入者グループ又は他の技術によって）ＨＮＢへの制限されたアクセスをサポートすることを意図される。非レガシーのＵＭＴＳリリース８のＡＴについて、ＨＮＢは、ＡＴが特定のＨＮＢにアクセスすることができるかどうかをそれらＡＴが判定するのを可能にするために、それぞれのＣＳＧＩＤを無線で送信することを要求される。リリース８のＡＴについて、3GPP TS 25.467, 3G Home NodeBのためのUTRANアーキテクチャー；ステージ２（リリース８）及び3GPP TS 25.469, UTRAN IuhインタフェースHNBAPシグナリング（リリース８）（両方とも参照によって本明細書に組み込まれる。）に記載されているように、ＣＳＧＩＤ情報は、ＨＮＢにおいて利用可能であり、また、ＨＮＢ登録手続きの間、ＨＮＢ−ＧＷに伝えられることができる。しかし、レガシーＡＴ（例えば、ＵＭＴプレリリース８のＡＴ）は、ＣＳＧＩＤを処理しない。それゆえ、高密度のＨＮＢ配備においてレガシー及び非レガシーＡＴの両方のための効果的なページング及びアクセス制御をサポートするための技術が定義されなければならない。
【００６４】
ＨＮＢの住居配備について、各々のＨＮＢに、その地理的近隣で固有である位置エリアコード（ＬＡＣ）を割り当てることが可能である。この固有ＬＡＣの割り当ては、レガシーＡＴが、それがＨＮＢカバレージの下に来るときはいつでも、常に位置エリア（ＬＡ）更新を実行することを確実とする。ＨＮＢは、それから、ＨＮＢ−ＧＷへのＡＴ登録手続きをトリガーしても良く、そして、ゲートウェイ（ＧＷ）にＡＴのＨＮＢ位置を知らせ、それがアクセス制御を実行することを可能にする。しかし、企業配備の場合、比較的近い近隣における（例えば、オフィスビルの中の）多数のＬＡＣの存在は、レガシーＡＴに、それが一つのＨＮＢからもう一つへ移動する（再選択する）ときはいつでも、ＬＡ更新を実行させるであろうから、同一の地理的周辺の多数のＨＮＢの存在は、固有ＬＡＣを各々のＨＮＢに割り当てることを望ましくないものにする。つまり、ユーザがオフィスビルで動き回るにつれて、複数のＨＮＢ間を移動することがかなり頻繁に起こ得る。レガシーＡＴに、それが一つのＨＮＢからもう一つへ移動する（再選択する）ときはいつでも、ＬＡ更新を実行することを要求することは、シグナリングの大幅な増加をもたらすであろう。さらに、シグナリングの大幅な増加は、ＡＴの待機時間に不利に影響を与えるであろう。また、ＨＮＢのために利用可能なＬＡＣの数は、使用中に標準によって制限される可能性があり、したがって、企業キャンパスに配置される各々のＨＮＢごとに、一つのＬＡＣを確保することは、実際的でない可能性がある。
【００６５】
それゆえ、本明細書で説明される実施態様では、企業キャンパスに配置されるＨＮＢは、同一のＬＡＣを共有する。言い換えると、企業キャンパスの中のＨＮＢは、個々のＨＮＢよりもむしろグループとみなされる。いくつかの実施形態においては、企業キャンパスに配置されるＨＮＢは、共通のＣＳＧＩＤに関連付けるために（例えば、共有するために）、グルーピングされる（例えば、ＣＳＧＩＤベースのグルーピング）。以下の実施態様の開示は、（例えば、住居配備及び企業配備の両方を含む）高密度混合配備の場合でさえ、ＧＷが、レガシーＡＴのための効果的なページング及びアクセス制御をするためにＣＳＧＩＤベースのグループを使用することができる方法を説明した。
【００６６】
ページング及びアクセスのための効率
図５は、一実施態様に従った住居エリアの様々な近傍に位置する企業キャンパスの配備５００のための図である。オプションとして、本配備５００は、図１〜図４のアーキテクチャー及び機能性との関連で実装されても良い。もちろん、しかしながら、配備５００又はその中の任意のオペレーションは、任意の所望の環境において実施され得る。
【００６７】
図示されるように、全３つの配備５１０，５２０及び５３０が、モバイルオペレータ・コアネットワーク３５０の下でサービスを提供される。この例では、全３つの配備は単一のＨＮＢ−ＧＷ４４５と関連している。ＨＮＢ−ＧＷ４４５は複数のアクセス制御コンポーネント５０５のうちの一つである。様々な実施形態において、アクセス制御コンポーネント５０５は、セキュリティ・ゲートウェイ、フェムトセル・ゲートウェイ、モバイルオペレータ・コアネットワーク３５０、モビリティ管理エンティティ（ＭＭＥ）、Ｈｏｍｅ ＮｏｄｅＢゲートウェイ（ＨＮＢ−ＧＷ）、モバイル・スイッチ・センター（ＭＳＣ）、サービングＧＰＲＳサービングノード（ＳＧＳＮ）、及び／又は訪問位置レジスタ（ＶＬＲ）、及び／又はグループ・アソシエーションを記憶することができる任意のネットワーク・コンポーネントのうちの任意の１つ又は複数により実装されても良い。一つの企業配備（すなわち、企業Ａの配備５１０）は、ＨＮＢ−１／ＬＡＣ−１及びＨＮＢ−２／ＬＡＣ−１というラベルが付けられた２つのフェムトセルを含む。同様に、２番目の企業配備（すなわち、企業Ｂの配備５２０）は、ＨＮＢ−３／ＬＡＣ−２及びＨＮＢ−４／ＬＡＣ−２というラベルが付けられた２つのフェムトセルを含む。住居配備（すなわち、住宅の配備５３０）は、ＨＮＢ−５／ＬＡＣ−１というラベルが付けられた一つのフェムトセルを含む。
【００６８】
また、クローズド加入者グループへのＡＴの割り当てが示されている。つまり、クローズド加入者グループＣＳＧ−１は、（場合によっては企業Ａの従業員を表す）ＩＭＳＩ１，ＩＭＳＩ２及びＩＭＳＩ３というラベルが付けられたＡＴを含む（すなわち、それらへのアクセスを許可する）。同様に、クローズド加入者グループＣＳＧ−２は、（場合によっては企業Ｂの従業員を表す）ＩＭＳＩ４及びＩＭＳＩ５というラベルが付けられたＡＴを含む（すなわち、それらへのアクセスを許可する）。同様に、クローズド加入者グループＣＳＧ−３は、（場合によっては住宅配備５３０のユーザ（例えば住宅の居住者）を表す）ＩＭＳＩ１及びＩＭＳＩ６というラベルが付けられたＡＴを含む（すなわち、それらへのアクセスを許可する）。ＩＭＳＩ１は、ＣＳＧ−１にもＣＳＧ−３にも割り当てられ、場合によってはＡＴ ＩＭＳＩ１をもつ企業Ａの従業員がまた住宅の居住者であることを示すことに留意される。
【００６９】
住宅配備５３０は、同一のＬＡＣ（すなわち、ＬＡＣ−１）を企業Ａの配備５１０と共有する。それゆえ、前に提案されたように、ＨＮＢがかなりの数で配備される限り（inasmuch as）、いくつかのＨＮＢは、結局、同一のＬＡＣを共有することになる可能性があり、それゆえ、住宅配備５３０及び企業Ａ配備５１０は、同一のＬＡＣ（すなわち、ＬＡＣ−１）を共有するものとして示されている。
【００７０】
前に説明されたように、単にＬＡＣに基づくＡＴのページングは、不必要なシグナリングと、同一のＬＡＣを共有するＨＮＢの間の通信のための帯域幅の不必要な使用をもたらす可能性がある。例示的な配備５００を使用してＨＮＢ依存ページングを説明するために、ユーザが自宅にいる（すなわち、ＨＮＢ−５を介して登録される）間に受信されるＩＭＳＩ１のユーザのためのページは、ＨＮＢ−５だけを使用してＩＭＳＩ１にフォワードされる。つまり、ＨＮＢ依存ページングの実施態様では、ＡＴは、そのＡＴが登録されているＨＮＢのみによって、ページングされる。それゆえ、特定のＡＴ（例えば、ＩＭＳＩ１）のためのページがＨＮＢ−ＧＷ４４５において受信されるとき、該ＨＮＢ−ＧＷは、このＡＴ ＩＭＳＩ１が登録されているＨＮＢ（例えば、ＨＮＢ−５）及びそのＨＮＢ（ＨＮＢ−５）のみを使用するページを判定する。この解決法は、各々のＨＮＢがその近隣で固有のＬＡＣを有する住居配備には有効であるが、それは企業配備（すなわち、上記の提案されたＨＮＢ依存ページングのレジームの下）では不十分である。上記のＨＮＢ依存ページングのレジームの下での企業配備状況を考えると、企業Ａ中のＨＮＢ−１に登録されるＡＴ ＩＭＳＩ１がＨＮＢ−１からＨＮＢ−２へ移動したとしても、それはＬＡ更新を実行しない（ＬＡＣが変化しないので）。それゆえ、たとえＡＴ ＩＭＳＩ１がＨＮＢ−２へ移動したかもしれないとしても、ＨＮＢ依存ページングを実行することは、結局、該特有のＨＮＢ−１のみにおいてＡＴ ＩＭＳＩ１をページングすることになるであろう。それゆえ、上記のＨＮＢ依存ページングのレジームは、ＡＴ ＩＭＳＩ１を、ページを逃す危険にさらす。
【００７１】
ＨＮＢ依存ページングとは対照的に、本発明の実施態様に基づくページングでは、ＡＴは、ＬＡＣと、ＡＴが最後に登録されたＨＮＢのＣＳＧＩＤとの組み合せに基づいて、ページングされる。それゆえ、ＡＴがそれ自身をＨＮＢ−１に登録するならば、ＨＮＢ−ＧＷ４４５は、ＡＴがＣＳＧ−１とＬＡＣ−１との下で関連することを検出するであろうから、それゆえ、ＬＡＣとＣＳＧＩＤとの組み合せを共有しているすべてのＨＮＢが、ＡＴへのページングを要求される。それゆえ、ＡＴがＨＮＢ−１のカバレージの下にあるか又はＨＮＢ−２のカバレージの下にあるかにかかわりなく、ＨＮＢ−ＧＷ４４５は、ＣＳＧ−１及びＬＡＣ−１をもつＨＮＢのすべて（すなわち、企業ＡのＨＮＢ−１とＨＮＢ−２との両方）にページングするであろう。しかし、同一のＬＡＣをもつＨＮＢ−５がある住宅配備５３０は、そのＣＳＧＩＤが企業Ａのそれと異なるので、ページングされないであろう。また、ＡＴがそれ自身をＨＮＢ−５に登録したならば、ＨＮＢ−５のみが、ＡＴにページングでき、企業ＡのＨＮＢ−１及びＨＮＢ−２は、そのページングをサービスできないであろう。
【００７２】
それゆえ、ＬＡＣ情報を伴うＣＳＧ情報の使用は、住居シナリオ及び企業シナリオの両方について効果的なページングをサポートするように実装され得る。例示されたＡＴ（例えば、レガシーＡＴ、ＵＭＴＳプレリリース８のＡＴ）自体は、ＣＳＧＩＤに基づいて処理する必要はなく、それゆえ、単にネットワーク・エレメント４２５のみを使用して実装される、ＬＡＣとＣＳＧＩＤとの組み合せに基づくこのページング技術を可能にすることに留意される。
【００７３】
レガシーＡＴを含むアクセス制御
前に述べられたように、レガシー及び非レガシーＡＴの両方は、クローズド加入者グループ又は他の技術によってＨＮＢへの制限されたアクセスをサポートすることを意図される。
【００７４】
リリース８のＡＴを伴う実施態様では、リリース８のＡＴは、ＨＮＢによってブロードキャストされるＣＳＧＩＤに基づいて、（例えば、特定のＨＮＢへアクセスすること又はアクセスしないことの）処理及び論理的決定をすることができる（すなわち、リリース８仕様の厳守によって）。図５を参照して、リリース８のＡＴが、企業ＡのＣＳＧ（すなわちＣＳＧ−１）へのアクセスを許可されるならば、ＨＮＢ−１及びＨＮＢ−２の両方はＣＳＧ−１と関連しているＡＴにサービスするので、それはまた、ＨＮＢ−１及びＨＮＢ−２にアクセスすることができなければならない。たとえ何らかのＡＴ（例えば、レガシーＡＴ、プレリリース８のＵＭＴＳのＡＴ）自体がＣＳＧＩＤに基づいて処理しないとしても、ＣＳＧ−１と関連しているレガシーＡＴ（例えば、プレリリース８のＵＭＴＳのＡＴ）はまた、ＨＮＢ−１及び／又はＨＮＢ−２へのアクセスを許可されなければならない。
【００７５】
可能な実施態様では、同一のアクセス制御リスト（すなわち、許可されたＡＴのＩＭＳＩのリスト）が、同一のＣＳＧＩＤに属しているあらゆるＨＮＢに供給されても良い。その場合、訪問客が企業に来るとき、訪問客のＡＴのＩＭＳＩが、企業のあらゆるＨＮＢにおいて更新される必要がある。代わりの解決法では、アクセス制御リストが、ＣＳＧＩＤ単位で割り当てられ、１又は複数のネットワーク・エレメントにおいて記憶されても良い。ＨＮＢ−ＧＷは、したがって、ＨＮＢのＣＳＧＩＤに対応するアクセス制御リスト中のＡＴのＩＤ（例えば、ＩＭＳＩ）について調べることによって、レガシーＡＴのためのアクセス制御を実行することができる。ＨＮＢはまた、そのＣＳＧＩＤに対応するアクセス制御リストを使用して、オプションのアクセス制御を実行することができる。
【００７６】
他の実施態様では、ＡＴ指向の（例えば、ＩＭＳＩ指向の）アクセス制御リストが既知のＩＭＳＩのリストとして構成され得る（各々のリスト・エントリはまた、対象となるＩＭＳＩがアクセスを許可されるべきＣＳＧＩＤを示す）ように、ＣＳＧＩＤと許可されたＡＴのＩＭＳＩとの間の関係の構成が逆にされることができる。ＨＮＢ−ＧＷは、したがって、ＡＴのＩＭＳＩに対応するＡＴ指向のアクセス制御リスト・エントリ中に、該ＡＴがアクセスを試行しているＨＮＢにおけるＣＳＧＩＤが存在するかチェックすることによって、レガシーＡＴのためのアクセス制御を実行することができる。
【００７７】
図６は、一実施態様に従ったフェムトセルを使用してアクセス制御及びページングを実行するために使用されるデータ項目関係の図である。オプションとして、データ項目関係６００は、図１〜図５のアーキテクチャー及び機能性との関連で実装されても良い。もちろん、しかし、データ項目関係６００又はその中の任意の態様は、任意の所望の環境において実装され得る。
【００７８】
データ項目関係は、左の列における所定のデータ項目が、同一の行且つ右の列において見つかる特定のデータ項目へのアソシエーションを与えられる関係として示される。例えば、グループ対セルのテーブル６２０は、識別子（例えば、ＣＳＧ１、ＣＳＧ２、ＣＳＧ３など）により指定され、フェムトセル識別子（例えば、ＨＮＢ１，ＨＮＢ２，ＨＮＢ３など）と関連付けられた（例えば、同一の行、右の列）、グループの行を含む。セル対グループのテーブル６３０における逆の構成において、同一のアソシエーションが示される。それゆえ、フェムトセル識別子（例えば、ＨＮＢ１，ＨＮＢ２，ＨＮＢ３，ＨＮＢ４，ＨＮＢ５）は、識別子（例えば、ＣＳＧ１，ＣＳＧ２，ＣＳＧ３など）により指定される対応するグループと関連している。フェムトセルのサブセットは、それゆえ、共通の特徴に基づいて選択されることができる。例えば、セル対グループのテーブル６３０を参照して、ＨＮＢ１にラベル付けされたフェムトセル及びＨＮＢ２にラベル付けされたフェムトセルは、グループＣＳＧ１とのアソシエーションの共通の特徴を共有する。
【００７９】
もちろん、例えばセル対グループのテーブル６３０のようなテーブルは、識別子を記憶するためのコンピュータ技術における任意の技術を使用してコンピュータ・メモリに記憶されても良く、それで、グループのセルへのマッピングを記憶するための汎用の技術は、複数のグルーピングされたフェムトセル（ここで、各々のグルーピングされたフェムトセルは、共通の特徴を共有する）のグループ・アソシエーション（例えば、テーブル、リストなど）を記憶するものとして説明されても良い。セル対グループのテーブル６３０の実施態様では、共通の特徴を共有しているフェムトセルのそのようなグループは、ＨＮＢ１及びＨＮＢ２を含む（それぞれ共通の特徴ＣＳＧ１を共有する）。
【００８０】
図６にはまた、データ項目の間の関係、特に、位置対グループのテーブル６４０（すなわち、位置識別子ＬＡＣを使用し且つグループ識別子ＣＳＧＩＤを使用する）、セル対位置のテーブル６５０（すなわち、フェムトセル識別子ＨＮＢＩＤ及び位置エリアコード識別子ＬＡＣを使用する）、グループ対ＡＴのテーブル６６０（すなわち、グループ識別子ＣＳＧＩＤ及びアクセス端末識別子ＩＭＳＩを使用する）、及び、ＡＴ対グループのテーブル６８０（すなわち、ＡＴ識別子ＩＭＳＩ及びグループ識別子ＣＳＧＩＤを使用する）が示される。
【００８１】
もちろん、例えばＡＴ対グループのテーブル６８０のようなテーブルは、識別子を記憶するためのコンピュータ技術における任意の技術を使用してコンピュータ・メモリに記憶されても良く、それで、ＡＴのセルへのマッピングを記憶するための汎用的な技術は、複数のアクセス端末識別子（ここで、各々のアクセス端末グルーピングされたアクセス端末は、共通の特徴を共有する）のグループ・アソシエーション（例えば、テーブル）を記憶するものとして説明されても良い。ＡＴ対グループのテーブル６８０の実施態様では、共通の特徴を共有しているアクセス端末のそのようなグループは、ＩＭＳＩ４及びＩＭＳＩ５を含む（それぞれ共通の特徴ＣＳＧ２を共有する）。共通の特徴を共有しているアクセス端末の他のそのようなグループは、ＩＭＳＩ１，ＩＭＳＩ２及びＩＭＳＩ３からなる（それぞれ共通の特徴ＣＳＧ１を共有する）。
【００８２】
データ項目の間の関係は、より大きな関係を作成するために、合成又は結合された関係６７０を含んでも良い。場合によっては、より大きな関係から、グループ・アソシエーション（例えば、グループ対ＬＡＣアソシエーション６７２又はグループ対ＡＴアソシエーション６７４）が抽出されることができる。
【００８３】
図７は、一実施態様に従ったフェムトセルを使用してアクセス制御及びページングを実行するために使用されるアクセス端末処理７００のフローチャートである。オプションとして、本システム７００は、図１〜図６のアーキテクチャー及び機能性との関連で実装されても良い。もちろん、しかしながら、システム７００又はその中の任意のオペレーションは、任意の所望の環境において実施され得る。
【００８４】
図示されるように、アクセス端末は、第１のフェムトセルから無線通信を受信し（オペレーション７１０を参照）、更に、第２のフェムトセルから無線通信を受信し（オペレーション７２０を参照）、また更に、アクセス端末は、第ｎのフェムトセルから第ｎの無線通信を受信する（オペレーション７３０を参照）。無線通信からの情報（例えば、無線チャネル品質の測定値）があれば、端末は、選択肢のうちで一つのフェムトセルを選択する（オペレーション７４０を参照）。アクセス端末は、選択されたフェムトセルを、該アクセス端末が既に登録されているセルと比較するであろう（オペレーション７５０を参照）。決定プロセス７５５により示されるように、選択されたフェムトセル識別子が、該アクセス端末が既に登録されているセルの識別子とは異なるならば、該アクセス端末は、再選択オペレーションを実行し（オペレーション７６０を参照）、必要に応じて、新たに選択されたセルへの登録を開始するであろう（オペレーション７７０を参照）。
【００８５】
図８は、一実施態様に従ったフェムトセルを使用してアクセス制御及びページングを実行するために使用されるフェムトセル処理８００のフローチャートである。オプションとして、本システム８００は、図１〜図７のアーキテクチャー及び機能性との関連で実装されても良い。もちろん、しかしながら、システム８００又はその中の任意のオペレーションは、任意の所望の環境において実施され得る。
【００８６】
図示されるように、フェムトセルは、それが関連するフェムトセルのＨＮＢＩＤ及びＣＳＧをブロードキャストする（オペレーション８１０を参照）。アクセス端末が登録リクエストを開始する場合には、フェムトセルは、アクセス端末登録リクエストを受信する（オペレーション８２０を参照）。決定プロセス８３５により示されるように、フェムトセルが、要求しているアクセス端末が同一の加入者グループの中のいずれの他のフェムトセルにも既に登録されていないと判定するならば（オペレーション８３０を参照）、アクセス制御プロシージャーが開始される（オペレーション８４０を参照）。
【００８７】
図９は、一実施態様に従ったフェムトセルを使用してアクセス制御及びページングを実行するために使用されるネットワーク・エレメント処理９００のフローチャートである。オプションとして、本システム９００は、図１〜図８のアーキテクチャー及び機能性との関連で実装されても良い。もちろん、しかしながら、システム９００又はその中の任意のオペレーションは、任意の所望の環境において実施され得る。
【００８８】
図示されるように、ネットワーク・エレメントは、特定のアクセス端末のためのページ・リクエストを受信する（オペレーション９１０を参照）。ネットワーク・エレメント（例えば、フェムトセル・ゲートウェイ、モバイルオペレータ・コアネットワークなど）は、クローズド加入者グループ識別子及びアクセス端末が登録されているフェムトセルの位置エリアコードを判定する（オペレーション９２０を参照）。クローズド加入者グループ識別情報及び位置エリアコードを与えられたならば、場合によってはデータ項目関係６００の任意の１つ又は複数又は変形を使用して、ネットワーク・エレメントは、上記のクローズド加入者グループ識別子及び位置エリアコードを共有する（１又は複数の）フェムトセルの識別情報を含むフェムトページャ・リストを作成する（オペレーション９３０を参照）。ネットワーク・エレメント４２５は、該リスト中のフェムトセルにページ・リクエスト・メッセージを送信する（オペレーション９４０を参照）。次に、該リスト中のフェムトセルは、ページ・リクエスト・メッセージを受信し、該特定のアクセス端末にページングする（オペレーション９５０を参照）。
【００８９】
図１０は、一実施態様に従ったフェムトセルを使用してアクセス制御を実行するためのメッセージング・プロトコルを示すプロトコル・ダイアグラムである。オプションとして、本プロトコル１０００は、図１〜図９のアーキテクチャー及び機能性との関連で実装されても良い。もちろん、しかしながら、プロトコル１０００又はその中の任意のオペレーションは、任意の所望の環境において実施され得る。
【００９０】
図示されるように、プロトコル１０００は、アクセス端末ＡＴ−１ １０１０、フェムトセルＨＮＢ１ １０１２、フェムトセルＨＮＢ２ １０１４、フェムトセルＨＮＢ５ １０１６及び許可コンポーネント１０１８を含むコンポーネントによって実行される。また、該プロトコル中に参加するのは、アクセス制御リストＡＣＬ １０１５を送信するためのモジュール（図示せず）である。
【００９１】
該プロトコルは、任意の時点で開始しても良く、また、説明のために、該プロトコルに関係するメッセージ及びオペレーションの特定の順序（order）及び／又はインターリービング（interleaving）が示される。図示されるように、各々のフェムトセルＨＮＢ１，ＨＮＢ２及びＨＮＢ５は、メッセージ（場合によっては、それらのそれぞれの位置エリアコード（例えばＬＡＣ）及びフェムトセル識別子（例えば、ＨＮＢＩＤ）を含む）を送信する。近くにいるアクセス端末（このケースではアクセス端末ＡＴ−１ １０１０）は、送信１００４，１００６及び１００８を受信する。アクセス端末は、再選択するために、一つのフェムトセルを選択しても良い（オペレーション１０２０を参照）。位置コードが変更したならば、アクセス端末ＡＴ−１は、位置更新を実行し（メッセージ１０２５を参照）、アクセス端末の識別情報を含む登録リクエストを実行する（メッセージ１０３０を参照）。受信フェムトセル（例えば、ＨＮＢ１ １０１２）は、ＡＴ登録リクエスト（該メッセージ中にアクセス端末識別情報（例えば、ＩＭＳＩ）を含む）を許可コンポーネント１０１８にリレーする。ＡＴ対グループの表現（例えば、ＡＴ対グループのテーブル６８０）を使用して、許可コンポーネントは、アクセス端末識別子（例えば、ＩＭＳＩ）を１又は複数のグループＩＤ（例えば、ＣＳＧ）にマッピングしても良く、更に、グループＩＤをフェムトセルのリストにマッピングしても良く、そして、それぞれのフェムトセルは、アクセス端末ＡＴ−１のための許可情報を受信する（メッセージ１０５２，１０５４及び１０５６を参照）。アクセス端末識別子を１又は複数のグループＩＤにマッピングするオペレーション（オペレーション１０４０を参照）及びグループＩＤをフェムトセルのリストにマッピングするオペレーション（オペレーション１０４５を参照）は、許可コンポーネント１０１８によって実行されても良く、又は、それは、代わりのコンポーネント（例えば、モバイルオペレータ・コアネットワーク３５０）によって実行されても良い。メッセージ１０３０（例えば、位置更新リクエスト・メッセージ）を受信した、アクセス端末ＡＴ−１ １０１０により選択されたフェムトセルは、メッセージ（例えば、位置更新アクセプト・メッセージ）を、アクセス端末に送信する（メッセージ１０５６を参照）。
【００９２】
何らかの時点で、ＡＴ−１のユーザは、新しい場所へ移動して、異なるセットの送信を受信する可能性がある。ここに示した例では、物理的な位置変更のアクティビティー１０６０の後、アクセス端末ＡＴ−１は、フェムトセルＨＮＢ５のみから送信を受信し（送信メッセージ１０６５を参照）、そのときに、アクセス端末ＡＴ−１ １０１０は、再選択し（オペレーション１０７０を参照）（フェムトセルＨＮＢ５を選択する）、そして、メッセージを送信する（メッセージ１０８０を参照）。アクセス端末ＡＴ−１は、登録リクエストを送信し、アクセス端末の識別情報を提供しても良い（メッセージ１０８２を参照）。受信フェムトセル（例えば、ＨＮＢ５ １０１６）は、許可コンポーネント１０１８とともにＡＴ登録を実行する（該メッセージ中に、アクセス端末識別情報（例えば、ＩＭＳＩ）及び該フェムトセルＨＮＢ５が割り当てられているＣＳＧを含む）。ＡＴ対グループのアソシエーション（例えば、ＡＴ対グループのテーブル６８０）を使用して、許可コンポーネントは、アクセス端末識別子（例えばＩＭＳＩ）を１又は複数のグループＩＤ（例えば、ＣＳＧ ＩＤ）にマッピングしても良く、更に、グループＩＤをフェムトセルのリストにマッピングしても良く、そして、それぞれのフェムトセルは、アクセス端末ＡＴ−１のための許可情報を受信する（メッセージ１０９２を参照）。フェムトセルは、それから、ＡＴ登録アクセプト・メッセージを、アクセス端末に送信する（メッセージ１０９４を参照）。
【００９３】
図１１は、一実施態様に従ったフェムトセルを使用してページングを実行するためのメッセージング・プロトコルを示すプロトコル・ダイアグラムである。オプションとして、本プロトコル１１００は、図１〜図１０のアーキテクチャー及び機能性との関連で実装されても良い。もちろん、しかしながら、プロトコル１１００又はその中の任意のオペレーションは、任意の所望の環境において実施され得る。
【００９４】
図示されるように、プロトコル１１００は、アクセス端末ＡＴ−１ １１１０、フェムトセルＨＮＢ１ １１１２、フェムトセルＨＮＢ２ １１１４、フェムトセルＨＮＢ５ １１１６及び許可コンポーネント１１１８を含むコンポーネントによって実行される。また、該プロトコル中に参加するのは、アクセス制御リストＡＣＬ １０１５を送信するためのモジュール（図示せず）及びページ・メッセージ１１６０を送信するためのモジュール（図示せず）である。
【００９５】
該プロトコルは、任意の時点で開始しても良く、また、説明のために、該プロトコルで伴われるメッセージ及びオペレーションの特定の順序及び／又はインターリービングが示される。図示されるように、各々のフェムトセルＨＮＢ１，ＨＮＢ２及びＨＮＢ５は、送信（それらのそれぞれの位置エリアコード（例えばＬＡＣ）及びフェムトセル識別子（例えば、ＨＮＢＩＤ）を含む）をブロードキャストする。近くにいるアクセス端末（このケースではアクセス端末ＡＴ−１ １１１０）は、ブロードキャスト１１０４，１１０６及び１１０８を受信する。アクセス端末は、再選択するために、一つのフェムトセルを選択する（オペレーション１１２０を参照）。位置コードが変更したならば、アクセス端末ＡＴ−１は、位置更新を実行し（メッセージ１１２５を参照）、アクセス端末の識別情報を提供する（メッセージ１１３０を参照）。受信フェムトセル（例えば、ＨＮＢ１ １１１２）は、許可コンポーネント１１１８とともにＡＴ登録を開始する（該メッセージ中に、アクセス端末識別情報（例えば、ＩＭＳＩ）を含む）。ＡＴ対グループの表現（例えば、ＡＴ対グループのテーブル６８０）を使用して、許可コンポーネントは、アクセス端末識別子（例えば、ＩＭＳＩ）を１又は複数のグループＩＤ（例えば、ＣＳＧ）にマッピングしても良く、更に、グループＩＤをフェムトセルのリストにマッピングしても良く、そして、それぞれのフェムトセルは、アクセス端末ＡＴ−１のための許可情報を受信する（メッセージ１１５２，１１５４及び１１５６を参照）。
【００９６】
何らかの時点で、あるモジュールが、ＡＴ−１に向けたページ・メッセージ１１６０を送信しても良い。許可コンポーネント１１１８は、ＡＴ−１が登録されているＣＳＧ及びＬＡＣを判定しても良い（オペレーション１１６５を参照）。また、許可コンポーネント１１１８は、ＡＴ−１が登録されているＨＮＢと同一のＣＳＧ及びＬＡＣをもつすべてのＨＮＢのリストを判定しても良い（オペレーション１１７０を参照）。ページ・リクエストは、それから、ＡＴ−１が登録されているＨＮＢ（この例のようにＨＮＢ２（メッセージ１１７２を参照）及びＨＮＢ１（メッセージ１１７６を参照））と同一のＣＳＧ及びＬＡＣをもつすべてのＨＮＢにリレーされる。ＡＴ−１が登録されるそれらのＨＮＢの各々は、それから、ページをＡＴ−１にリレーする（メッセージ１１７４を参照、また、メッセージ１１７８を参照）。ＡＴは、それから、ページ対するレスポンスを行っても良い。
【００９７】
図１２は、フェムトセルにおけるアクセス制御のためのシステムのブロック図を示す。オプションとして、本システム１２００は、本明細書で説明される実施形態との関連で実装されても良い。もちろん、しかしながら、システム１２００又はその中の任意のオペレーションは、任意の所望の環境において実施され得る。図示されるように、システム１２００は、複数のモジュール（それぞれ通信リンク１２０５に接続される）を含み、そして、いずれのモジュールも、通信リンク１２０５の上で他のモジュールと通信することができる。システムのモジュールは、個々に又は組み合せて、システム１２００内の方法ステップを実行することができる。クレームで指定されない限り、システム１２００内で実行される任意の方法ステップは、任意の順序で実行されても良い。図示されるように、システム１２００は、フェムトセルにおけるアクセス制御のための方法を実装し、該システム１２００は、少なくとも一つのフェムトセルを、該フェムトセルに対する有効なアクセスを識別する第１の識別子に対応するように割り当てるためのモジュール（モジュール１２１０を参照）と、少なくとも一つの第２の識別子及び少なくとも一つの第１の識別子を含むリスト（該第２の識別子はＡＴに対応し、該リストは有効な第１の識別子と第２の識別子のペアを示す）を記憶するためのモジュール（モジュール１２２０を参照）と、前記フェムトセルによって、前記第１の識別子を送信し（モジュール１２３０を参照）フェムトセルにおいて、ＡＴからアクセスのためのリクエストを受信するためのモジュール（モジュール１２４０を参照）と、前記リストから、前記ＡＴのための第２の識別子が前記フェムトセルのための有効な第１の識別子に対応するかどうか判定するためのモジュール（モジュール１２５０を参照）と、前記フェムトセルにおいて、前記ＡＴが識別されるならば、前記リクエストに応答して前記ＡＴに対してアクセスを許可するためのモジュール（モジュール１２６０を参照）とを含む。
【００９８】
図１３は、フェムトセルの特定の機能を実行するためのシステムのブロック図を示す。オプションとして、本システム１３００は、本明細書で説明される実施形態との関連で実装されても良い。もちろん、しかしながら、システム１３００又はその中の任意のオペレーションは、任意の所望の環境において実施され得る。図示されるように、システム１３００は、プロセッサ及びメモリを含む複数のモジュールを含み（各々のモジュールは通信リンク１３０５に接続される）、いずれのモジュールも、通信リンク１３０５の上で他のモジュールと通信することができる。システムのモジュールは、個々に又は組み合せて、システム１３００内で方法ステップを実行することができる。クレームで指定されない限り、システム１３００内で実行される任意の方法ステップは、任意の順序で実行されても良い。図示されるように、図１３は、システム１３００としてフェムトセルを実装し、少なくとも一つのプロセッサ及びメモリ（モジュール１３１０を参照）と、ＡＴからアクセスのためのリクエストを受信するためのモジュール（モジュール１３２０を参照）と、前記フェムトセルによって、少なくとも一つの第１の識別子を送信ためのモジュール（モジュール１３３０を参照）と、前記ＡＴが前記フェムトセルに対するアクセス権を有するならば、前記リクエストに応答して前記フェムトセルに対する前記ＡＴのアクセスを許可するためのモジュールとを含むモジュール群を含む。前記アクセス権は少なくとも一つの第２の識別子及び少なくとも一つの第１の識別子を含むリストから得られ、第１の識別子は前記フェムトセルに対する有効なアクセスを識別し、第２の識別子はＡＴに対応し、前記リストは有効な第１の識別子と第２の識別子のペアを示す（モジュール１３４０を参照）。
【００９９】
図１４は、フェムトセル・ゲートウェイの特定の機能を実行するためのシステムのブロック図を示す。オプションとして、本システム１４００は、本明細書で説明される実施形態との関連で実装されても良い。もちろん、しかしながら、システム１４００又はその中の任意のオペレーションは、任意の所望の環境において実施され得る。図示されるように、システム１４００は、プロセッサ及びメモリを含む複数のモジュールを含み（各々のモジュールは通信リンク１４０５に接続される）、いずれのモジュールも、通信リンク１４０５の上で他のモジュールと通信することができる。システムのモジュールは、個々に又は組み合せて、システム１４００内で方法ステップを実行することができる。クレームで指定されない限り、システム１４００内で実行される任意の方法ステップは、任意の順序で実行されても良い。図示されるように、図１４は、システム１４００としてフェムトセル・ゲートウェイを実装し、少なくとも一つのプロセッサ及びメモリ（モジュール１４１０を参照）と、少なくとも一つの第２の識別子及び少なくとも一つの第１の識別子を含むリスト（第１の識別子は前記フェムトセルに対する有効なアクセスを識別し、第２の識別子はＡＴに対応し、該リストは有効な第１の識別子と第２の識別子のペアを示す）を記憶するためのモジュール（モジュール１４２０を参照）と、ＡＴはフェムトセルへのアクセスが有効かどうか判定するためにリクエストを受信するためのモジュール（モジュール１４３０を参照）と、前記リストから前記ＡＴが識別されるならば、前記フェムトセルへの前記ＡＴのアクセスを許可するためのインジケーションを生成するためのモジュール（モジュール１４４０を参照）とを含むモジュール群を含む。
【０１００】
図１５は、アクセス端末（ＡＴ）の特定の機能を実行するためのシステムのブロック図を示す。オプションとして、本システム１５００は、本明細書で説明される実施形態との関連で実装されても良い。もちろん、しかしながら、システム１５００又はその中の任意のオペレーションは、任意の所望の環境において実施され得る。図示されるように、システム１５００は、プロセッサ及びメモリを含む複数のモジュールを含み（各々のモジュールは通信リンク１５０５に接続される）、いずれのモジュールも、通信リンク１５０５の上で他のモジュールと通信することができる。システムのモジュールは、個々に又は組み合せて、システム１５００内で方法ステップを実行することができる。クレームで指定されない限り、システム１５００内で実行される任意の方法ステップは、任意の順序で実行されても良い。図示されるように、図１５は、システム１５００としてアクセス端末（ＡＴ）を実装し、少なくとも一つのプロセッサ及びメモリ（モジュール１５１０を参照）と、フェムトセルに対するアクセスのためのリクエストを生成するためのモジュール（モジュール１５２０を参照）と、前記ＡＴが前記フェムトセルに対するアクセス権を有するならば、前記リクエストに応答して前記フェムトセルに対するアクセスを受信するためのモジュール（前記アクセス権は少なくとも一つの第２の識別子及び少なくとも一つの第１の識別子を含むリストから得られ、第１の識別子は前記フェムトセルに対する有効なアクセスを識別し、第２の識別子はＡＴに対応し、前記リストは有効な第１の識別子と第２の識別子のペアを示す）（モジュール１５３０を参照）とを含むモジュール群を含む。
【０１０１】
図１６は、ハード及びソフト手段を使用するフェムトセルにおけるアクセス制御のための装置のブロック図を示す。オプションとして、本システム１６００は、本明細書で説明される実施形態との関連で実装されても良い。もちろん、しかしながら、システム１６００又はその中の任意のオペレーションは、任意の所望の環境において実施され得る。図示のされるように、システム１６００は、複数のハードウェア及びソフトウェア・コンポーネント（それぞれ通信リンク１６０５に接続される）を含み、いずれの一つのコンポーネントも、通信リンク１６０５の上で他と通信することができる。システム１６００は、個々に又は組み合せて、システム１６００内の方法ステップを実行することができる。クレームで指定されない限り、システム１６００内で実行される任意の方法ステップは、任意のコンポーネントによって、任意の順序で実行されても良い。図示されるように、図１６は、少なくとも一つのフェムトセルを、該フェムトセルに対する有効なアクセスを識別する第１の識別子に対応するように割り当てるためのハード及びソフト手段（モジュール１６１０を参照）と、少なくとも一つの第２の識別子及び少なくとも一つの第１の識別子を含むリスト（該第２の識別子はＡＴに対応し、該リストは有効な第１の識別子と第２の識別子のペアを示す）を記憶するための手段（コンポーネント１６２０を参照）と、前記フェムトセルによって、前記第１の識別子を送信するための手段（コンポーネント１６３０を参照）と、フェムトセルにおいて、ＡＴからアクセスのためのリクエストを受信するための手段（コンポーネント１６４０を参照）と、前記リストから、前記ＡＴのための第２の識別子が前記フェムトセルのための有効な第１の識別子に対応するかどうか判定するための手段（コンポーネント１６５０を参照）と、前記フェムトセルにおいて、前記ＡＴが識別されるならば、前記リクエストに応答して前記ＡＴに対してアクセスを許可するための手段（コンポーネント１６６０を参照）とを含むフェムトセルにおけるアクセス制御のための装置を実装する。
【０１０２】
図１７は、フェムトセルにおけるページングのためのシステムのブロック図を示す。オプションとして、本システム１７００は、本明細書で説明される実施形態との関連で実装されても良い。もちろん、しかしながら、システム１７００又はその中の任意のオペレーションは、任意の所望の環境において実施され得る。図示されるように、システム１７００は、複数のモジュール（それぞれ通信リンク１７０５に接続される）を含み、そして、いずれのモジュールも、通信リンク１７０５の上で他のモジュールと通信することができる。システムのモジュールは、個々に又は組み合せて、システム１７００内で方法ステップを実行することができる。クレームで指定されない限り、システム１７００内で実行される任意の方法ステップは、任意の順序で実行されても良い。図示されるように、システム１７００は、フェムトセルにおけるページングのための方法を実装し、システム１７００は、複数のフェムトセルを、該第１の複数のフェムトセルの任意のものに対する有効なアクセスを識別する第１の識別子に対応するように割り当てるためのモジュール（モジュール１７１０を参照）と、前記複数のフェムトセルのうちの少なくとも一つを、位置を識別する第２の識別子に対応するように割り当てるためのモジュール（モジュール１７２０を参照）と、前記複数のフェムトセルのうちの少なくとも一つによって、前記第１の識別子を送信するためのモジュール（モジュール１７３０を参照）と、前記複数のフェムトセルのうちの少なくとも一つから、ＡＴ（該ＡＴは第３の識別子を有する）に対してアクセスを許可するためのモジュール（モジュール１７４０を参照）と、少なくとも一つの第１の識別子及び少なくとも一つの第２の識別子を含むアソシエーションと、少なくとも一つの第３の識別子とを記憶するためのモジュール（モジュール１７５０を参照）と、前記第１の識別子及び前記第２の識別子と、前記第３の識別子とを使用して、前記複数のフェムトセルのうちの前記少なくとも一つから前記ＡＴにページングするためのモジュール（モジュール１７６０を参照）とを含む。
【０１０３】
図１８は、フェムトセルの特定の機能を実行するためのシステムのブロック図を示す。オプションとして、本システム１８００は、本明細書で説明される実施形態との関連で実装されても良い。もちろん、しかしながら、システム１８００又はその中の任意のオペレーションは、任意の所望の環境において実施され得る。図示されるように、システム１８００は、プロセッサ及びメモリを含む複数のモジュールを含み（各々のモジュールは通信リンク１８０５に接続される）、いずれのモジュールも、通信リンク１８０５の上で他のモジュールと通信することができる。システムのモジュールは、個々に又は組み合せて、システム１８００内で方法ステップを実行することができる。クレームで指定されない限り、システム１８００内で実行される任意の方法ステップは、任意の順序で実行されても良い。図示されるように、図１８は、少なくとも一つのプロセッサ及びメモリ（モジュール１８１０を参照）と、グループを識別する第１の識別子を受信するためのモジュール（モジュール１８２０を参照）と、位置を識別する第２の識別子を受信するためのモジュール（モジュール１８３０を参照）と、前記フェムトセルによって、前記第１の識別子を送信するためのモジュール（モジュール１８４０を参照）と、特定のＡＴのためのページためのモジュール（該ページは該特定のＡＴを識別する第３の識別子を含む）を受信するためのモジュール（モジュール１８５０を参照）と、前記第１の識別子及び前記第２の識別子を使用して、前記フェムトセルから前記特定のＡＴ（該特定のＡＴは、該フェムトセルにおいて登録されない）へページングするためのモジュール（モジュール１８６０を参照）とを含むモジュール群を含むシステム１８００としてフェムトセルを実装する。
【０１０４】
図１９は、フェムトセル・ゲートウェイの特定の機能を実行するためのシステムのブロック図を示す。オプションとして、本システム１９００は、本明細書で説明される実施形態との関連で実装されても良い。もちろん、しかしながら、システム１９００又はその中の任意のオペレーションは、任意の所望の環境において実施され得る。図示されるように、システム１９００は、プロセッサ及びメモリを含む複数のモジュールを含み（各々のモジュールは通信リンク１９０５に接続される）、いずれのモジュールも、通信リンク１９０５の上で他のモジュールと通信することができる。システムのモジュールは、個々に又は組み合せて、システム１９００内で方法ステップを実行することができる。クレームで指定されない限り、システム１９００内で実行される任意の方法ステップは、任意の順序で実行されても良い。図示されるように、図１９は、少なくとも一つのプロセッサ及びメモリ（モジュール１９１０を参照）と、複数のフェムトセルに、該第１の複数のフェムトセルの任意のものに対する有効なアクセスを識別する第１の識別子を通信するためのモジュール（モジュール１９２０を参照）と、前記複数のフェムトセルのうちの少なくとも一つに、位置を識別する第２の識別子を通信するためのモジュール（モジュール１９３０を参照）と、ＡＴアクセス許可信号（該ＡＴアクセス許可信号は第３の識別子を有する）を、前記複数のフェムトセルのうちの一つのみに送信するためのモジュール（モジュール１９４０を参照）と、前記第１の識別子及び前記第２の識別子を使用して、ＡＴページ信号を、前記複数のフェムトセルのうちの前記少なくとも一つに送信するためのモジュール（モジュール１９５０を参照）とを含むモジュール群を含むシステム１９００としてフェムトセル・ゲートウェイを実装する。
【０１０５】
図２０は、アクセス端末の特定の機能を実行するためのシステムのブロック図を示す。オプションとして、本システム２０００は、本明細書で説明される実施形態との関連で実装されても良い。もちろん、しかしながら、システム２０００又はその中の任意のオペレーションは、任意の所望の環境において実施され得る。図示されるように、システム２０００は、プロセッサ及びメモリを含む複数のモジュールを含み（各々のモジュールは通信リンク２００５に接続される）、いずれのモジュールも、通信リンク２００５の上で他のモジュールと通信することができる。システムのモジュールは、個々に又は組み合せて、システム２０００内で方法ステップを実行することができる。クレームで指定されない限り、システム２０００内で実行される任意の方法ステップは、任意の順序で実行されても良い。図示されるように、図２０は、少なくとも一つのプロセッサ及びメモリ（モジュール２０１０を参照）と、有効なフェムトセルを識別する第１の識別子を有する第１のフェムトセルに登録するためのモジュール（モジュール２０２０を参照）と、前記第１のフェムトセルから、位置を識別する第２の識別子を受信するためのモジュール（モジュール２０３０を参照）と、第１のフェムトセルからアクセス許可（該アクセス許可は第３の識別子を有する）を受信するためのモジュール（モジュール２０４０を参照）と、少なくとも一つのフェムトセルからページ信号を受信するためのモジュール（モジュール２０５０を参照）とを含むモジュール群を含むシステム２０００としてアクセス端末を実装する。
【０１０６】
図２１は、ハード及びソフト手段を使用するフェムトセルにおけるページングのための装置のブロック図を示す。オプションとして、本システム２１００は、本明細書で説明される実施形態との関連で実装されても良い。もちろん、しかしながら、システム２１００又はその中の任意のオペレーションは、任意の所望の環境において実施され得る。図示のされるように、システム２１００は、複数のハードウェア及びソフトウェア・コンポーネント（それぞれ通信リンク２１０５に接続される）を含み、いずれの一つのコンポーネントも、通信リンク２１０５の上で他と通信することができる。システム２１００のモジュールは、個々に又は組み合せて、システム２１００内の方法ステップを実行することができる。クレームで指定されない限り、システム２０００内で実行される任意の方法ステップは、任意のコンポーネントによって任意の順序で実行されても良い。図示されるように、図２１は、複数のフェムトセルを、該第１の複数のフェムトセルの任意のものに対する有効なアクセスを識別する第１の識別子に対応するように割り当てるための手段（コンポーネント２１１０を参照）と、前記複数のフェムトセルのうちの少なくとも一つを、位置を識別する第２の識別子に対応するように割り当てるための手段（コンポーネント２１２０を参照）と、前記フェムトセルによって、前記第１の識別子をに送信するための手段（コンポーネント２１３０を参照）と、前記複数のフェムトセルのうちの少なくとも一つから、ＡＴ（該ＡＴは第３の識別子を有する）に対してアクセスを許可するための手段（コンポーネント２１４０を参照）と、少なくとも一つの第１の識別子及び少なくとも一つの第２の識別子を含むアソシエーションと、少なくとも一つの第３の識別子とを記憶するための手段（コンポーネント２１５０を参照）と、前記第１の識別子及び前記第２の識別子を使用して、前記複数のフェムトセルのうちの前記少なくとも一つから前記ＡＴにページングするための手段（コンポーネント２１６０を参照）とを実装するハードウェア及びソフトウェア・コンポーネントを含むフェムトセルにおけるページングのための装置を実装する。
【０１０７】
上に説明されたことは、クレームされた主題の態様の例を含む。クレームされた主題を説明することを目的としてコンポーネント又は手順の考えられる組み合わせをすべて説明することはもちろん可能ではないが、開示された主題の多数のさらなる組み合わせ又は置換が可能であることを当業者は認識するであろう。したがって、開示された主題は、添付のクレームの範囲内に含まれるそのような変更、修正及び変形をすべて包含することを意図されている。さらに、語句“備える、含む（includes）”、“有する、持つ（has）”又は“有する、持つ（having）”が詳細な説明又はクレームのいずれかにおいて使用される範囲内において、上記語句は、語句“備える、含む（comprising）”がクレームにおいてつなぎ詞（transitional word）として用いられた場合に“備える、含む（comprising）”として解釈されるのと同様の方法で、包括的であることを意図されている。
【０１０８】
開示されたプロセスにおけるステップの特定の順序又は階層（hierarchy）は、例示的なアプローチの例におけるものであることは理解される。デザイン選択（design preferences）に基づいて、プロセスにおけるステップの特定の順序又は階層は、本開示の範囲内のままで、リアレンジされても良いことは理解される。添付の方法クレームは、例示的な順序における様々なステップのエレメントを提示するものであり、提示される特定の順序又は階層に制限されるべきでないことが意味される。
【０１０９】
情報及び信号は、様々な異なるテクノロジー及びテクニックの任意のものを使用して表現され得ることは当業者には理解されるであろう。例えば、上記説明の間に参照される、データ、インストラクション、コマンド、情報、信号、ビット及びチップなどは、電圧、電流、電磁波、磁場若しくは磁性粒子（magnetic fields or particles）、光場若しくは光学粒子（optical fields or particles）、又はそれらの任意の組み合わせにより表現可能である。
【０１１０】
本明細書で開示された実施形態に関連して説明される様々な実例となる論理ブロック、モジュール、回路及びアルゴリズム・ステップが、電子ハードウェア、コンピュータ・ソフトウェア又は両方の組み合せとして実装されても良いことは、当業者は更に認識するであろう。このハードウェア及びソフトウェアの互換性をめいりょうに説明するために、各種の説明的なコンポーネント、ブロック、モジュール、回路、及びステップが、一般に、それらの機能性の観点で、前述された。当該の機能性は、システム全体に課される特定のアプリケーション及びデザインの制約に応じて、ハードウェア又はソフトウェアとして実装される。当業者は、説明された機能性を、各々のアプリケーションのためのさまざまな方法で実装しても良いが、当該の実装の決定は、本開示の範囲からの逸脱をもたらすものとして説明されるべきではない。
【０１１１】
本明細書で開示される実施形態に関連して説明される様々な実例となる論理ブロック、モジュール及び回路は、汎用プロセッサ、デジタルシグナルプロセッサ（ＤＳＰ）、特定用途向けＩＣ（ＡＳＩＣ）、フィールド・プログラマブル・ゲート・アレイ（ＦＰＧＡ）又は他のプログラマブル・ロジック・デバイス、ディスクリート・ゲート又はトランジスタ・ロジック、ディスクリート・ハードウェアコンポーネント、又は、本明細書で説明される機能を実行するようにデザインされるそれらの任意の組み合わせで実装又は実行されても良い。汎用プロセッサは、マイクロプロセッサであっても良いが、代わりに、プロセッサは、任意の従来のプロセッサ、コントローラ、マイクロコントローラ又は状態機械であっても良い。プロセッサは、複数のコンピュータデバイスの組合せ（例えば、ＤＳＰとマイクロプロセッサの組み合せ、複数のマイクロプロセッサ、ＤＳＰコアと連携した１又は複数のマイクロプロセッサ、又は、任意の他のそのような構成）として実装されても良い。
【０１１２】
本明細書で開示される実施形態に関連して説明される方法又はアルゴリズムのステップは、直接ハードウェアにおいて、プロセッサにより実行されるソフトウェア・モジュールにおいて、又は、それら二つの組み合せにおいて、具体化されても良い。ソフトウェア・モジュールは、ＲＡＭメモリ、フラッシュメモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ又は技術的に知られている任意のその他のタイプの記憶媒体であっても良い。例示的な記憶媒体は、プロセッサが該記憶媒体から情報をリードすることができ、また、該記憶媒体に情報をライトすることができるように、該プロセッサに接続される。代わりに、記憶媒体は、プロセッサに一体化されても良い。プロセッサ及び記憶媒体がＡＳＩＣ中に存在しても良い。そのＡＳＩＣがユーザ端末上に存在しても良い。代わりに、プロセッサ及び記憶媒体が、ユーザ端末上に個別のコンポーネントとして存在しても良い。
【０１１３】
１又は複数の例示的な実施形態において、説明される機能は、ハードウェア、ソフトウェア、ファームウェア又はそれらの任意の組み合せにおいて実装されても良い。ソフトウェアで実装される場合には、該機能は、コンピュータ読み取り可能な媒体上の１又は複数のインストラクション又はコードとして格納され又は伝送されても良い。コンピュータ読み取り可能な媒体（computer-readable media）は、コンピュータ記憶媒体（computer storage media）及び通信媒体（communication media）の両方を含み、或る場所から他の場所へのコンピュータ・プログラムの受け渡しを容易にする任意の媒体を含む。記憶媒体は、コンピュータによってアクセスできる任意の利用可能な媒体であっても良い。制限としてではなく例として、そのようなコンピュータ読み取り可能な媒体は、ＲＡＭ、ＲＯＭ、ＥＥＰＲＯＭ、ＣＤ−ＲＯＭ又は他の光ディスク記憶装置、磁気ディスク記憶装置又は他の磁気記憶装置、又は、インストラクション又はデータ構造の形で所望のプログラム・コードを運ぶ又は記憶するために使用されることができ且つコンピュータによりアクセスされることができる任意の他の媒体を含むことができる。また、任意のコネクションは、適切にコンピュータ読み取り可能な媒体と呼ばれる。例えば、同軸ケーブル、光ファイバーケーブル、ツイストペア、デジタル加入者線（ＤＳＬ）、又は、例えば赤外線、無線及びマイクロ波のような無線技術を使用することによって、ウェブサイト、サーバ、又は他のリモートソースからソフトウェアが送信される場合に、その同軸ケーブル、光ファイバーケーブル、ツイストペア、ＤＳＬ、又は、例えば赤外線、無線及びはマイクロ波のような無線技術は、媒体の定義に含まれる。本明細書で用いられるディスク（Disk）及びディスク（disc）は、コンパクトディスク（ＣＤ）、レーザーディスク（登録商標）、光ディスク、デジタル・バーサタイル・ディスク（ＤＶＤ）、フロッピー（登録商標）ディスク及びブルーレイディスク（登録商標）を含む。ここで、ディスク（disks）は、通常、磁気的にデータを再生（reproduce）し、一方、ディスク（discs）は、レーザーを使って光学的にデータを再生する。上記の組み合わせはまた、コンピュータ読み取り可能
な媒体の範囲の中に含まれるべきである。
【０１１４】
開示された実施形態の前の説明は、当業者が本開示を製造又は使用できるようにするために提供される。これらの実施形態への種々の変形は、当業者には容易に明白になるであろう。また、本明細書で定義された一般的な原理は、本開示の精神又は範囲から逸脱することなく、他の実施形態に適用されても良い。それゆえ、本開示は、本明細書で示された実施形態に限定されることが意図されているのではなく、本明細書で開示された原理及び新規な特徴に合致する最も広い範囲を与えられることが意図されている。
以下に、本願出願の当初の特許請求の範囲に記載された発明を付記する。
［Ｃ１］  フェムトセルにおけるアクセス制御のための方法において、
少なくとも一つのフェムトセルを、該フェムトセルに対する有効なアクセスを識別する第１の識別子に対応するように割り当てることと、
少なくとも一つの第２の識別子及び少なくとも一つの第１の識別子を含むリスト（該第２の識別子はＡＴに対応し、該リストは有効な第１の識別子と第２の識別子のペアを示す）を記憶することと、
フェムトセルにおいて、ＡＴからアクセスのためのリクエストを受信することと、
前記フェムトセルによって、前記第１の識別子を少なくとも一つのアクセス制御コンポーネントに送信することと、
前記リストから、前記ＡＴのための第２の識別子が前記フェムトセルのための有効な第１の識別子に対応するかどうか判定することと、
前記フェムトセルにおいて、前記ＡＴが識別されるならば、前記リクエストに応答して前記ＡＴに対してアクセスを許可することを含む方法。
［Ｃ２］  前記アクセス制御コンポーネントは、Ｈｏｍｅ ＮｏｄｅＢゲートウェイ（ＨＮＢ−ＧＷ）であるＣ１に記載の方法。
［Ｃ３］  前記リストを前記記憶することは、フェムトセル・ゲートウェイにおいて前記リストを記憶することを含むＣ１に記載の方法。
［Ｃ４］  少なくとも一つのフェムトセルを第１の識別子に対応するように割り当てることは、一つのフェムトセルを住居配備における第１の識別子に割り当てることを含むＣ１に記載の方法。
［Ｃ５］  少なくとも一つのフェムトセルを第１の識別子に対応するように割り当てることは、複数のフェムトセルを企業配備における第１の識別子に割り当てることを含むＣ１に記載の方法。
［Ｃ６］  前記第１の識別子は、クローズド加入者グループ識別子（ＣＳＧＩＤ）を含むＣ１に記載の方法。
［Ｃ７］  前記第２の識別子は、国際移動局識別番号（ＩＭＳＩ）を含むＣ１に記載の方法。
［Ｃ８］  前記第１の識別子は、クローズド加入者グループ識別子（ＣＳＧＩＤ）を含み、
前記第２の識別子は、ＩＭＳＩを含み、
前記リストは、ＩＭＳＩについて有効である少なくとも一つのＣＳＧＩＤのリストを含むＣ１に記載の方法。
［Ｃ９］  フェムトセルにおいて、
ＡＴからアクセスのためのリクエストを受信し、
前記フェムトセルによって、少なくとも一つの第１の識別子を送信し、
前記ＡＴが前記フェムトセルに対するアクセス権を有するならば、前記リクエストに応答して前記フェムトセルに対する前記ＡＴのアクセスを許可するための少なくとも一つのプロセッサ及びメモリを含み、
前記アクセス権は少なくとも一つの第２の識別子及び少なくとも一つの第１の識別子を含むリストから得られ、第１の識別子は前記フェムトセルに対する有効なアクセスを識別し、第２の識別子はＡＴに対応し、前記リストは有効な第１の識別子と第２の識別子のペアを示すフェムトセル。
［Ｃ１０］  更に前記リストを記憶するＣ９に記載のフェムトセル。
［Ｃ１１］  前記リストを前記記憶することは、フェムトセル・ゲートウェイにおいて前記リストを記憶することを含むＣ１０に記載のフェムトセル。
［Ｃ１２］  前記許可することは、住居配備において実行されるＣ９に記載のフェムトセル。
［Ｃ１３］  前記許可することは、企業配備において実行されるＣ９に記載のフェムトセル。
［Ｃ１４］  前記第１の識別子は、クローズド加入者グループ識別子（ＣＳＧＩＤ）を含むＣ９に記載のフェムトセル。
［Ｃ１５］  前記第２の識別子は、ＩＭＳＩを含むＣ９に記載のフェムトセル。
［Ｃ１６］  前記第１の識別子は、クローズド加入者グループ識別子（ＣＳＧＩＤ）を含み、
前記第２の識別子は、ＩＭＳＩを含み、
前記リストは、ＣＳＧＩＤについて有効であるＩＭＳＩのリストを含むＣ９に記載のフェムトセル。
［Ｃ１７］  前記第１の識別子は、クローズド加入者グループ識別子（ＣＳＧＩＤ）を含み、
前記第２の識別子は、ＩＭＳＩを含み、
前記リストは、ＩＭＳＩについて有効である少なくとも一つのＣＳＧＩＤのリストを含むＣ９に記載のフェムトセル。
［Ｃ１８］  フェムトセル・ゲートウェイにおいて、
少なくとも一つの第２の識別子及び少なくとも一つの第１の識別子を含むリスト（第１の識別子は前記フェムトセルに対する有効なアクセスを識別し、第２の識別子はＡＴに対応し、該リストは有効な第１の識別子と第２の識別子のペアを示す）を記憶し、
ＡＴはフェムトセルへのアクセスが有効かどうか判定するためにリクエストを受信し、  前記リストから前記ＡＴが識別されるならば、前記フェムトセルへの前記ＡＴのアクセスを許可するためのインジケーションを生成するための少なくとも一つのプロセッサ及びメモリを含むフェムトセル・ゲートウェイ。
［Ｃ１９］  前記フェムトセル・ゲートウェイは、住居配備において存在するＣ１８に記載のフェムトセル・ゲートウェイ。
［Ｃ２０］  前記フェムトセル・ゲートウェイは、企業配備において存在するＣ１８に記載のフェムトセル・ゲートウェイ。
［Ｃ２１］  前記第１の識別子は、クローズド加入者グループ識別子（ＣＳＧＩＤ）を含むＣ１８に記載のフェムトセル・ゲートウェイ。
［Ｃ２２］  前記第２の識別子は、ＩＭＳＩを含むＣ１８に記載のフェムトセル・ゲートウェイ。
［Ｃ２３］  前記第１の識別子は、クローズド加入者グループ識別子（ＣＳＧＩＤ）を含み、
前記第２の識別子は、ＩＭＳＩを含み、
前記リストは、ＣＳＧＩＤについて有効であるＩＭＳＩのリストを含むＣ１８に記載のフェムトセル・ゲートウェイ。
［Ｃ２４］  前記第１の識別子は、クローズド加入者グループ識別子（ＣＳＧＩＤ）を含み、
前記第２の識別子は、ＩＭＳＩを含み、
前記リストは、ＩＭＳＩについて有効である少なくとも一つのＣＳＧＩＤのリストを含むＣ１８に記載のフェムトセル・ゲートウェイ。
［Ｃ２５］  ＡＴはフェムトセルへのアクセスについて有効かどうか判定するためにリクエストを受信することは、モビリティ管理エンティティ（ＭＭＥ）、モバイル・スイッチ・センター（ＭＳＣ）、訪問位置レジスタ（ＶＬＲ）、サービングＧＰＲＳサービングノード（ＳＧＳＮ）のうちの少なくとも一つにより判定されるＣ１８に記載のフェムトセル・ゲートウェイ。
［Ｃ２６］  アクセス端末（ＡＴ）において、
フェムトセルに対するアクセスのためのリクエストを生成し、
前記ＡＴが前記フェムトセルに対するアクセス権を有するならば、前記リクエストに応答して前記フェムトセルに対するアクセスを受信するための少なくとも一つのプロセッサ及びメモリを含み、
前記アクセス権は少なくとも一つの第２の識別子及び少なくとも一つの第１の識別子を含むリストから得られ、第１の識別子は前記フェムトセルに対する有効なアクセスを識別し、第２の識別子はＡＴに対応し、前記リストは有効な第１の識別子と第２の識別子のペアを示すフェムトセル。
［Ｃ２７］  前記フェムトセルは、住居配備において存在するＣ２６に記載のアクセス端末。
［Ｃ２８］  前記フェムトセルは、企業配備において存在するＣ２６に記載のアクセス端末。
［Ｃ２９］  前記第１の識別子は、クローズド加入者グループ識別子（ＣＳＧＩＤ）を含むＣ２６に記載のアクセス端末。
［Ｃ３０］  前記第２の識別子は、ＩＭＳＩを含むＣ２６に記載のアクセス端末。
［Ｃ３１］  前記第１の識別子は、クローズド加入者グループ識別子（ＣＳＧＩＤ）を含み、
前記第２の識別子は、ＩＭＳＩを含み、
前記リストは、ＣＳＧＩＤについて有効であるＩＭＳＩのリストを含むＣ２６に記載のアクセス端末。
［Ｃ３２］  前記第１の識別子は、クローズド加入者グループ識別子（ＣＳＧＩＤ）を含み、
前記第２の識別子は、ＩＭＳＩを含み、
前記リストは、ＩＭＳＩについて有効である少なくとも一つのＣＳＧＩＤのリストを含むＣ２６に記載のアクセス端末。
［Ｃ３３］  前記リストは、フェムトセル・ゲートウェイ、Ｈｏｍｅ ＮｏｄｅＢゲートウェイ、モビリティ管理エンティティ（ＭＭＥ）、モバイル・スイッチ・センター（ＭＳＣ）、訪問位置レジスタ（ＶＬＲ）、サービングＧＰＲＳサービングノード（ＳＧＳＮ）のうちの少なくとも一つにより記憶されるＣ２６に記載のアクセス端末。
［Ｃ３４］  フェムトセルにおけるアクセス制御のための方法を実現する有形のコンピュータ読み取り可能な媒体において、前記方法は、
少なくとも一つのフェムトセルを、該フェムトセルに対する有効なアクセスを識別する第１の識別子に対応するように割り当てることと、
少なくとも一つの第２の識別子及び少なくとも一つの第１の識別子を含むリスト（該第２の識別子はＡＴに対応し、該リストは有効な第１の識別子と第２の識別子のペアを示す）を記憶することと、
前記フェムトセルによって、前記第１の識別子を送信することと、
フェムトセルにおいて、ＡＴからアクセスのためのリクエストを受信することと、
前記リストから、前記ＡＴのための第２の識別子が前記フェムトセルのための有効な第１の識別子に対応するかどうか判定することと、
前記フェムトセルにおいて、前記ＡＴが識別されるならば、前記リクエストに応答して前記ＡＴに対してアクセスを許可することを含む有形のコンピュータ読み取り可能な媒体。
［Ｃ３５］  前記リストを前記記憶することは、フェムトセル・ゲートウェイ又はＨｏｍｅ ＮｏｄｅＢゲートウェイにおいて前記リストを記憶することを含むＣ３４に記載の有形のコンピュータ読み取り可能な媒体。
［Ｃ３６］  少なくとも一つのフェムトセルを第１の識別子に対応するように割り当てることは、一つのフェムトセルを住居配備における第１の識別子に割り当てることを含むＣ３４に記載の有形のコンピュータ読み取り可能な媒体。
［Ｃ３７］  少なくとも一つのフェムトセルを第１の識別子に対応するように割り当てることは、複数のフェムトセルを企業配備における第１の識別子に割り当てることを含むＣ３４に記載の有形のコンピュータ読み取り可能な媒体。
［Ｃ３８］  前記第１の識別子は、クローズド加入者グループ識別子（ＣＳＧＩＤ）を含むＣ３４に記載の有形のコンピュータ読み取り可能な媒体。
［Ｃ３９］  前記第２の識別子は、ＩＭＳＩを含むＣ３４に記載の有形のコンピュータ読み取り可能な媒体。
［Ｃ４０］  前記第１の識別子は、クローズド加入者グループ識別子（ＣＳＧＩＤ）を含み、
前記第２の識別子は、ＩＭＳＩを含み、
前記リストは、ＣＳＧＩＤについて有効であるＩＭＳＩのリストを含むＣ３４に記載の有形のコンピュータ読み取り可能な媒体。
［Ｃ４１］  前記第１の識別子は、クローズド加入者グループ識別子（ＣＳＧＩＤ）を含み、
前記第２の識別子は、ＩＭＳＩを含み、
前記リストは、ＩＭＳＩについて有効である少なくとも一つのＣＳＧＩＤのリストを含むＣ３４に記載の有形のコンピュータ読み取り可能な媒体。
［Ｃ４２］  フェムトセルにおけるアクセス制御のための装置において、
少なくとも一つのフェムトセルを、該フェムトセルに対する有効なアクセスを識別する第１の識別子に対応するように割り当てるための手段と、
少なくとも一つの第２の識別子及び少なくとも一つの第１の識別子を含むリスト（該第２の識別子はＡＴに対応し、該リストは有効な第１の識別子と第２の識別子のペアを示す）を記憶するための手段と、
前記フェムトセルによって、前記第１の識別子を送信するための手段と、
フェムトセルにおいて、ＡＴからアクセスのためのリクエストを受信するための手段と、
前記リストから、前記ＡＴのための第２の識別子が前記フェムトセルのための有効な第１の識別子に対応するかどうか判定するための手段と、
前記フェムトセルにおいて、前記ＡＴが識別されるならば、前記リクエストに応答して前記ＡＴに対してアクセスを許可するための手段とを含む装置。
［Ｃ４３］  前記リストを前記記憶することは、フェムトセル・ゲートウェイにおいて前記リストを記憶することを含むＣ４２に記載の装置。
［Ｃ４４］  少なくとも一つのフェムトセルを第１の識別子に対応するように割り当てることは、一つのフェムトセルを住居配備における第１の識別子に割り当てることを含むＣ４２に記載の装置。
［Ｃ４５］  少なくとも一つのフェムトセルを第１の識別子に対応するように割り当てることは、複数のフェムトセルを企業配備における第１の識別子に割り当てることを含むＣ４２に記載の装置。
［Ｃ４６］  前記第１の識別子は、クローズド加入者グループ識別子（ＣＳＧＩＤ）を含むＣ４２に記載の装置。
［Ｃ４７］  前記第２の識別子は、ＩＭＳＩを含むＣ４２に記載の装置。
［Ｃ４８］  前記第１の識別子は、クローズド加入者グループ識別子（ＣＳＧＩＤ）を含み、
前記第２の識別子は、ＩＭＳＩを含み、
前記リストは、ＣＳＧＩＤについて有効であるＩＭＳＩのリストを含むＣ４２に記載の装置。
［Ｃ４９］  前記第１の識別子は、クローズド加入者グループ識別子（ＣＳＧＩＤ）を含み、
前記第２の識別子は、ＩＭＳＩを含み、
前記リストは、ＩＭＳＩについて有効である少なくとも一つのＣＳＧＩＤのリストを含むＣ４２に記載の装置。
［Ｃ５０］  フェムトセルにおけるページングのための方法において、
複数のフェムトセルを、該第１の複数のフェムトセルの任意のものに対する有効なアクセスを識別する第１の識別子に対応するように割り当てることと、
前記複数のフェムトセルのうちの少なくとも一つを、位置を識別する第２の識別子に対応するように割り当てることと、
前記フェムトセルによって、前記第１の識別子を少なくとも一つのアクセス制御コンポーネントに送信することと、
前記複数のフェムトセルのうちの少なくとも一つから、ＡＴ（該ＡＴは第３の識別子を有する）に対してアクセスを許可することと、
少なくとも一つの第１の識別子及び少なくとも一つの第２の識別子を含むアソシエーションと、少なくとも一つの第３の識別子とを記憶することと、
前記第１の識別子及び前記第２の識別子と、前記第３の識別子とを使用して、前記複数のフェムトセルのうちの前記少なくとも一つから前記ＡＴにページングすることを含む方法。
［Ｃ５１］  前記アクセス制御コンポーネントは、Ｈｏｍｅ ＮｏｄｅＢゲートウェイ（ＨＮＢ−ＧＷ）であるＣ５０に記載の方法。
［Ｃ５２］  前記第１の識別子は、クローズド加入者グループ識別子（ＣＳＧＩＤ）であり、
前記第２の識別子は、位置エリアコード（ＬＡＣ）であるＣ５０に記載の方法。
［Ｃ５３］  前記第３の識別子は、国際移動局識別番号（ＩＭＳＩ）であるＣ５０に記載の方法。
［Ｃ５４］  ＡＴに対してアクセスを許可することは、モビリティ管理エンティティ（ＭＭＥ）、Ｈｏｍｅ ＮｏｄｅＢゲートウェイ（ＨＮＢ−ＧＷ）、モバイル・スイッチ・センター（ＭＳＣ）、訪問位置レジスタ（ＶＬＲ）、サービングＧＰＲＳサービングノード（ＳＧＳＮ）のうちの少なくとも一つを含むネットワーク・エレメントを含むＣ５０に記載の方法。
［Ｃ５５］  前記ページングすることは、住居配備において実行されるＣ５０に記載の方法。
［Ｃ５６］  前記ページングすることは、企業配備において実行されるＣ５０に記載の方法。
［Ｃ５７］  前記ＬＡＣは、企業配備における１又は複数のＨＮＢに対応するＣ５２に記載の方法。
［Ｃ５８］  前記ＬＡＣは、住居配備における１又は複数のＨｏｍｅ ＮｏｄｅＢ（ＨＮＢ）に対応するＣ５２に記載の方法。
［Ｃ５９］  前記クローズド加入者グループ識別子（ＣＳＧＩＤ）は、モビリティ管理エンティティ（ＭＭＥ）、Ｈｏｍｅ ＮｏｄｅＢゲートウェイ（ＨＮＢ−ＧＷ）、モバイル・スイッチ・センター（ＭＳＣ）、訪問位置レジスタ（ＶＬＲ）、サービングＧＰＲＳサービングノード（ＳＧＳＮ）のうちの少なくとも一つから受信されるＣ５１に記載の方法。
［Ｃ６０］  前記位置エリアコード（ＬＡＣ）は、モビリティ管理エンティティ（ＭＭＥ）、Ｈｏｍｅ ＮｏｄｅＢゲートウェイ（ＨＮＢ−ＧＷ）、モバイル・スイッチ・センター（ＭＳＣ）、訪問位置レジスタ（ＶＬＲ）のうちの少なくとも一つから受信されるＣ５２に記載の方法。
［Ｃ６１］  前記ＡＴに対してアクセスを許可することは、モビリティ管理エンティティ（ＭＭＥ）、Ｈｏｍｅ ＮｏｄｅＢゲートウェイ（ＨＮＢ−ＧＷ）、モバイル・スイッチ・センター（ＭＳＣ）、訪問位置レジスタ（ＶＬＲ）のうちの少なくとも一つにより許可されるＣ５０に記載の方法。
［Ｃ６２］  フェムトセルにおいて、
グループを識別する第１の識別子を受信することと、
位置を識別する第２の識別子を受信することと、
前記フェムトセルによって、前記第１の識別子を送信することと、
特定のＡＴのためのページ（該ページは該特定のＡＴを識別する第３の識別子を含む）を受信することと、
前記第１の識別子及び前記第２の識別子を使用して、前記フェムトセルから前記特定のＡＴ（該特定のＡＴは、該フェムトセルにおいて登録されていない）へページングするための少なくとも一つのプロセッサ及びメモリを含むフェムトセル。
［Ｃ６３］  前記第１の識別子は、クローズド加入者グループ識別子（ＣＳＧＩＤ）であるＣ６２に記載のフェムトセル。
［Ｃ６４］  前記第２の識別子は、位置エリアコード（ＬＡＣ）であるＣ６２に記載のフェムトセル。
［Ｃ６５］  前記第３の識別子は、国際移動局識別番号（ＩＭＳＩ）であるＣ６２に記載のフェムトセル。
［Ｃ６６］  ＡＴに対してアクセスを許可することは、モビリティ管理エンティティ（ＭＭＥ）、Ｈｏｍｅ ＮｏｄｅＢゲートウェイ（ＨＮＢ−ＧＷ）、モバイル・スイッチ・センター（ＭＳＣ）、訪問位置レジスタ（ＶＬＲ）、サービングＧＰＲＳサービングＮｏｄｅＢ（ＳＧＳＮ）のうちの少なくとも一つを含むネットワーク・エレメントを含むＣ６２に記載のフェムトセル。
［Ｃ６７］  前記ページングすることは、住居配備において実行されるＣ６２に記載のフェムトセル。
［Ｃ６８］  前記ページングすることは、企業配備において実行されるＣ６２に記載のフェムトセル。
［Ｃ６９］  前記ＬＡＣは、企業配備における１又は複数のＨＮＢに対応するＣ６４に記載のフェムトセル。
［Ｃ７０］  前記ＬＡＣは、住居配備における１又は複数のＨＮＢに対応するＣ６４に記載のフェムトセル。
［Ｃ７１］  前記クローズド加入者グループ識別子（ＣＳＧＩＤ）は、モビリティ管理エンティティ（ＭＭＥ）、Ｈｏｍｅ ＮｏｄｅＢゲートウェイ（ＨＮＢ−ＧＷ）、モバイル・スイッチ・センター（ＭＳＣ）、訪問位置レジスタ（ＶＬＲ）、サービングＧＰＲＳサービングノード（ＳＧＳＮ）のうちの少なくとも一つから受信されるＣ６３に記載のフェムトセル。
［Ｃ７２］  前記位置エリアコード（ＬＡＣ）は、モビリティ管理エンティティ（ＭＭＥ）、Ｈｏｍｅ ＮｏｄｅＢゲートウェイ（ＨＮＢ−ＧＷ）、モバイル・スイッチ・センター（ＭＳＣ）、訪問位置レジスタ（ＶＬＲ）、サービングＧＰＲＳサービングＮｏｄｅＢ（ＳＧＳＮ）のうちの少なくとも一つから受信されるＣ６４に記載のフェムトセル。
［Ｃ７３］  前記ＡＴに対してアクセスを許可することは、モビリティ管理エンティティ（ＭＭＥ）、Ｈｏｍｅ ＮｏｄｅＢゲートウェイ（ＨＮＢ−ＧＷ）、モバイル・スイッチ・センター（ＭＳＣ）、訪問位置レジスタ（ＶＬＲ）のうちの少なくとも一つにより許可されるＣ６２に記載のフェムトセル。
［Ｃ７４］  フェムトセル・ゲートウェイにおいて、
複数のフェムトセルに、該第１の複数のフェムトセルの任意のものに対する有効なアクセスを識別する第１の識別子を通信し、
前記複数のフェムトセルのうちの少なくとも一つに、位置を識別する第２の識別子を通信し、
ＡＴアクセス許可信号（該ＡＴアクセス許可信号は第３の識別子を有する）を、前記複数のフェムトセルのうちの一つのみに送信し、
前記第１の識別子及び前記第２の識別子を使用して、ＡＴページ信号を、前記複数のフェムトセルのうちの前記少なくとも一つに送信するための少なくとも一つのプロセッサ及びメモリを含む。
［Ｃ７５］  複数のフェムトセルに通信することは、Ｈｏｍｅ ＮｏｄｅＢゲートウェイ（ＨＮＢ−ＧＷ）においてＣＳＧＩＤを受信することを含むＣ７４に記載のフェムトセル・ゲートウェイ。
［Ｃ７６］  フェムトセルから第１の識別子を受信することを更に含むＣ７４に記載のフェムトセル・ゲートウェイ。
［Ｃ７７］  前記第１の識別子は、クローズド加入者グループ識別子（ＣＳＧＩＤ）であり、
前記第２の識別子は、位置エリアコード（ＬＡＣ）であり、
前記第３の識別子は、国際移動局識別番号（ＩＭＳＩ）であるＣ７４に記載のフェムトセル・ゲートウェイ。
［Ｃ７８］  ＡＴに対してアクセスを許可することは、モビリティ管理エンティティ（ＭＭＥ）、Ｈｏｍｅ ＮｏｄｅＢゲートウェイ（ＨＮＢ−ＧＷ）、モバイル・スイッチ・センター（ＭＳＣ）、訪問位置レジスタ（ＶＬＲ）のうちの少なくとも一つを含むネットワーク・エレメントを含むＣ７４に記載のフェムトセル・ゲートウェイ。
［Ｃ７９］  前記ページングすることは、住居配備において実行されるＣ７４に記載のフェムトセル・ゲートウェイ。
［Ｃ８０］  前記ページングすることは、企業配備において実行されるＣ７４に記載のフェムトセル・ゲートウェイ。
［Ｃ８１］  前記ＬＡＣは、企業配備における１又は複数のＨＮＢに対応するＣ７６に記載のフェムトセル・ゲートウェイ。
［Ｃ８２］  前記ＬＡＣは、住居配備における１又は複数のＨＮＢに対応するＣ７６に記載のフェムトセル・ゲートウェイ。
［Ｃ８３］  前記クローズド加入者グループ識別子（ＣＳＧＩＤ）は、モビリティ管理エンティティ（ＭＭＥ）、ＨＮＢ−ＧＷ、モバイル・スイッチ・センター（ＭＳＣ）、訪問位置レジスタ（ＶＬＲ）、サービングＧＰＲＳサービングノード（ＳＧＳＮ）のうちの少なくとも一つから受信されるＣ７５に記載のフェムトセル・ゲートウェイ。
［Ｃ８４］  前記位置エリアコード（ＬＡＣ）は、モビリティ管理エンティティ（ＭＭＥ）、ＨＮＢ−ＧＷ、モバイル・スイッチ・センター（ＭＳＣ）、訪問位置レジスタ（ＶＬＲ）のうちの少なくとも一つから受信されるＣ７６に記載のフェムトセル・ゲートウェイ。
［Ｃ８５］  前記ＡＴに対してアクセスを許可することは、モビリティ管理エンティティ（ＭＭＥ）、フェムトセル・ゲートウェイ、モバイル・スイッチ・センター（ＭＳＣ）、訪問位置レジスタ（ＶＬＲ）、サービングＧＰＲＳサービングノード（ＳＧＳＮ）のうちの少なくとも一つにより許可されるＣ７４に記載のフェムトセル・ゲートウェイ。
［Ｃ８６］  アクセス端末において、
有効なフェムトセルを識別する第１の識別子を有する第１のフェムトセルに登録し、  前記第１のフェムトセルから、位置を識別する第２の識別子を受信し、
第１のフェムトセルからアクセス許可（該アクセス許可は第３の識別子を有する）を受信し、
少なくとも一つのフェムトセルからページ信号を受信するための少なくとも一つのプロセッサ及びメモリを含むアクセス端末。
［Ｃ８７］  前記第１の識別子は、クローズド加入者グループ識別子（ＣＳＧＩＤ）であるＣ８６に記載のアクセス端末。
［Ｃ８８］  前記第２の識別子は、位置エリアコード（ＬＡＣ）であるＣ８６に記載のアクセス端末。
［Ｃ８９］  前記第３の識別子は、国際移動局識別番号（ＩＭＳＩ）であるＣ８６に記載のアクセス端末。
［Ｃ９０］  ＡＴに対してアクセスを許可することは、モビリティ管理エンティティ（ＭＭＥ）、ＨＮＢ−ＧＷ、モバイル・スイッチ・センター（ＭＳＣ）、訪問位置レジスタ（ＶＬＲ）のうちの少なくとも一つを含むネットワーク・エレメントを含むＣ８６に記載のアクセス端末。
［Ｃ９１］  前記ページングすることは、住居配備において実行されるＣ８６に記載のアクセス端末。
［Ｃ９２］  前記ページングすることは、企業配備において実行されるＣ８６に記載のアクセス端末。
［Ｃ９３］  前記ＬＡＣは、企業配備における１又は複数のＨＮＢに対応するＣ８８に記載のアクセス端末。
［Ｃ９４］  前記ＬＡＣは、住居配備における１又は複数のＨＮＢに対応するＣ８８に記載のアクセス端末。
［Ｃ９５］  前記クローズド加入者グループ識別子（ＣＳＧＩＤ）は、モビリティ管理エンティティ（ＭＭＥ）、ＨＮＢ−ＧＷ、モバイル・スイッチ・センター（ＭＳＣ）、訪問位置レジスタ（ＶＬＲ）、サービングＧＰＲＳサービングノード（ＳＧＳＮ）のうちの少なくとも一つから受信されるＣ８７に記載のアクセス端末。
［Ｃ９６］  前記位置エリアコード（ＬＡＣ）は、モビリティ管理エンティティ（ＭＭＥ）、ＨＮＢ−ＧＷ、モバイル・スイッチ・センター（ＭＳＣ）、訪問位置レジスタ（ＶＬＲ）のうちの少なくとも一つから受信されるＣ８６に記載のアクセス端末。
［Ｃ９７］  前記ＡＴに対してアクセスを許可することは、モビリティ管理エンティティ（ＭＭＥ）、アクセス端末、モバイル・スイッチ・センター（ＭＳＣ）、訪問位置レジスタ（ＶＬＲ）、サービングＧＰＲＳサービングノード（ＳＧＳＮ）のうちの少なくとも一つにより許可されるＣ８６に記載のアクセス端末。
［Ｃ９８］  フェムトセルにおけるページングのための方法を実現する有形のコンピュータ読み取り可能な媒体において、前記方法は、
複数のフェムトセルを、該第１の複数のフェムトセルの任意のものに対する有効なアクセスを識別する第１の識別子に対応するように割り当てることと、
前記複数のフェムトセルのうちの少なくとも一つを、位置を識別する第２の識別子に対応するように割り当てることと、
前記複数のフェムトセルのうちの少なくとも一つによって、前記第１の識別子を送信することと、
前記複数のフェムトセルのうちの少なくとも一つから、ＡＴ（該ＡＴは第３の識別子を有する）に対してアクセスを許可することと、
少なくとも一つの第１の識別子及び少なくとも一つの第２の識別子を含むアソシエーションと、少なくとも一つの第３の識別子とを記憶することと、
前記第１の識別子及び前記第２の識別子と、前記第３の識別子とを使用して、前記複数のフェムトセルのうちの前記少なくとも一つから前記ＡＴにページングすることを含む有形のコンピュータ読み取り可能な媒体。
［Ｃ９９］  前記第１の識別子は、クローズド加入者グループ識別子（ＣＳＧＩＤ）であるＣ９８に記載の有形のコンピュータ読み取り可能な媒体。
［Ｃ１００］  前記第２の識別子は、位置エリアコード（ＬＡＣ）であるＣ９８に記載の有形のコンピュータ読み取り可能な媒体。
［Ｃ１０１］  前記第３の識別子は、国際移動局識別番号（ＩＭＳＩ）であるＣ９８に記載の有形のコンピュータ読み取り可能な媒体。
［Ｃ１０２］  ＡＴに対してアクセスを許可することは、モビリティ管理エンティティ（ＭＭＥ）、ＨＮＢ−ＧＷ、モバイル・スイッチ・センター（ＭＳＣ）、訪問位置レジスタ（ＶＬＲ）、サービングＧＰＲＳサービングノード（ＳＧＳＮ）のうちの少なくとも一つを含むネットワーク・エレメントを含むＣ９８に記載の有形のコンピュータ読み取り可能な媒体。
［Ｃ１０３］  前記ページングすることは、住居配備において実行されるＣ９８に記載の有形のコンピュータ読み取り可能な媒体。
［Ｃ１０４］  前記ページングすることは、企業配備において実行されるＣ９８に記載の有形のコンピュータ読み取り可能な媒体。
［Ｃ１０５］  前記ＬＡＣは、企業配備における１又は複数のＨＮＢに対応するＣ１００に記載の有形のコンピュータ読み取り可能な媒体。
［Ｃ１０６］  前記ＬＡＣは、住居配備における１又は複数のＨＮＢに対応するＣ１００に記載の有形のコンピュータ読み取り可能な媒体。
［Ｃ１０７］  前記クローズド加入者グループ識別子（ＣＳＧＩＤ）は、モビリティ管理エンティティ（ＭＭＥ）、ＨＮＢ−ＧＷ、モバイル・スイッチ・センター（ＭＳＣ）、訪問位置レジスタ（ＶＬＲ）、サービングＧＰＲＳサービングノード（ＳＧＳＮ）のうちの少なくとも一つから受信されるＣ９９に記載の有形のコンピュータ読み取り可能な媒体。
［Ｃ１０８］  前記位置エリアコード（ＬＡＣ）は、モビリティ管理エンティティ（ＭＭＥ）、ＨＮＢ−ＧＷ、モバイル・スイッチ・センター（ＭＳＣ）、訪問位置レジスタ（ＶＬＲ）のうちの少なくとも一つから受信されるＣ１００に記載の有形のコンピュータ読み取り可能な媒体。
［Ｃ１０９］  前記ＡＴに対してアクセスを許可することは、モビリティ管理エンティティ（ＭＭＥ）、フェムトセル・ゲートウェイ、モバイル・スイッチ・センター（ＭＳＣ）、訪問位置レジスタ（ＶＬＲ）、サービングＧＰＲＳサービングノード（ＳＧＳＮ）のうちの少なくとも一つにより許可されるＣ９８に記載の有形のコンピュータ読み取り可能な媒体。
［Ｃ１１０］  フェムトセルにおけるページングのための装置において、
複数のフェムトセルを、該第１の複数のフェムトセルの任意のものに対する有効なアクセスを識別する第１の識別子に対応するように割り当てるための手段と、
前記複数のフェムトセルのうちの少なくとも一つを、位置を識別する第２の識別子に対応するように割り当てるための手段と、
前記フェムトセルによって、前記第１の識別子をに送信するための手段と、
前記複数のフェムトセルのうちの少なくとも一つから、ＡＴ（該ＡＴは第３の識別子を有する）に対してアクセスを許可するための手段と、
少なくとも一つの第１の識別子及び少なくとも一つの第２の識別子を含むアソシエーションと、少なくとも一つの第３の識別子とを記憶するための手段と、
前記第１の識別子及び前記第２の識別子を使用して、前記複数のフェムトセルのうちの前記少なくとも一つから前記ＡＴにページングするための手段とを含む装置。
［Ｃ１１１］  前記第１の識別子は、クローズド加入者グループ識別子（ＣＳＧＩＤ）であるＣ１１０に記載の装置。
［Ｃ１１２］  前記第２の識別子は、位置エリアコード（ＬＡＣ）であるＣ１１０に記載の装置。
［Ｃ１１３］  前記第３の識別子は、国際移動局識別番号（ＩＭＳＩ）であるＣ１１０に記載の装置。
［Ｃ１１４］  ＡＴに対してアクセスを許可することは、モビリティ管理エンティティ（ＭＭＥ）、ＨＮＢ−ＧＷ、モバイル・スイッチ・センター（ＭＳＣ）、訪問位置レジスタ（ＶＬＲ）、サービングＧＰＲＳサービングノード（ＳＧＳＮ）のうちの少なくとも一つを含むネットワーク・エレメントを含むＣ１１０に記載の装置。
［Ｃ１１５］  前記ページングすることは、住居配備において実行されるＣ１１０に記載の装置。
［Ｃ１１６］  前記ページングすることは、企業配備において実行されるＣ１１０に記載の装置。
［Ｃ１１７］  前記ＬＡＣは、企業配備における１又は複数のＨＮＢに対応するＣ１１２に記載の装置。
［Ｃ１１８］  前記ＬＡＣは、住居配備における１又は複数のＨＮＢに対応するＣ１１２に記載の装置。
［Ｃ１１９］  前記クローズド加入者グループ識別子（ＣＳＧＩＤ）は、モビリティ管理エンティティ（ＭＭＥ）、ＨＮＢ−ＧＷ、モバイル・スイッチ・センター（ＭＳＣ）、訪問位置レジスタ（ＶＬＲ）、サービングＧＰＲＳサービングノード（ＳＧＳＮ）のうちの少なくとも一つから受信されるＣ１１１に記載の装置。
［Ｃ１２０］  前記位置エリアコード（ＬＡＣ）は、モビリティ管理エンティティ（ＭＭＥ）、ＨＮＢ−ＧＷ、モバイル・スイッチ・センター（ＭＳＣ）、訪問位置レジスタ（ＶＬＲ）のうちの少なくとも一つから受信されるＣ１１２に記載の装置。
［Ｃ１２１］  前記ＡＴに対してアクセスを許可することは、モビリティ管理エンティティ（ＭＭＥ）、フェムトセル・ゲートウェイ、モバイル・スイッチ・センター（ＭＳＣ）、訪問位置レジスタ（ＶＬＲ）、サービングＧＰＲＳサービングノード（ＳＧＳＮ）のうちの少なくとも一つにより許可されるＣ１１０に記載の装置。
【図１】
0005431491.tif 000002
【図２】
0005431491.tif 000003
【図３】
0005431491.tif 000004
【図４】
0005431491.tif 000005
【図５】
0005431491.tif 000006
【図６】
0005431491.tif 000007
【図７】
0005431491.tif 000008
【図８】
0005431491.tif 000009
【図９】
0005431491.tif 000010
【図１０】
0005431491.tif 000011
【図１１】
0005431491.tif 000012
【図１２】
0005431491.tif 000013
【図１３】
0005431491.tif 000014
【図１４】
0005431491.tif 000015
【図１５】
0005431491.tif 000016
【図１６】
0005431491.tif 000017
【図１７】
0005431491.tif 000018
【図１８】
0005431491.tif 000019
【図１９】
0005431491.tif 000020
【図２０】
0005431491.tif 000021
【図２１】
0005431491.tif 000022